(57)【要約】【課題】無線通信システムにおいてアクセスポイントから待機状態のステーションに対してＷＵ（ウェイクアップ）無線信号を送信するときに、ＷＵ無線信号が帯域の異なるレガシー部分（Ｌ−ｐａｒｔ）とＷＵ無線部分（ＷＵＲ−ｐａｒｔ）を含む構成をとると、様々な制約によりＬ−ｐａｒｔとＷＵＲ−ｐａｒｔの電力密度が一定せず、アクセスポイントがＷＵ無線信号を適切に受信する事ができなかった。【解決手段】アクセスポイントはＬ−ｐａｒｔとＷＵＲ−ｐａｒｔの総電力または電力密度に関する情報をステーションに対して送信する。ステーションはアクセスポイントに対してＷＵＲ−ｐａｒｔ受信能力に関する情報をアクセスポイントに対して送信する。ステーションはＷＵ無線信号を複数回マルチキャスト送信する際のＷＵ無線フレームにカウンタフィールドを含み、送信回数に応じた値をカウンタフィールドに設定する。【選択図】  図１
2020109885.tif 000002
【特許請求の範囲】
【請求項１】
複数のステーション装置と接続して無線通信を行うアクセスポイント装置であって、
無線ＬＡＮ信号とウェイクアップ無線信号を送信する送信ＲＦ部を備え、
前記ウェイクアップ無線信号は、レガシー部分とウェイクアップ無線部分から構成され、
前記レガシー部分の信号の帯域とウェイクアップ無線部分の信号の帯域は異なり、
前記ウェイクアップ無線信号に含まれるウェイクアップ無線フレームにはマルチキャスト送信である事を示す識別子が含まれ、
キャリアセンスによって確保した無線媒体時間に予め決められた数の前記ウェイクアップ無線フレームを含むウェイクアップ無線信号を送信する事を特徴とするアクセスポイント装置。
【請求項２】
請求項１に記載のアクセスポイント装置であって、前記無線フレームにカウンタフィールドを含み、前記ウェイクアップ無線信号の初送時に前記予め決められた数をカウンタフィールドに設定し、前記ウェイクアップ無線を複数回送信する度にカウンタフィールドの値を減ずる事を特徴とするアクセスポイント装置。
【請求項３】
請求項１または請求項２に記載のアクセスポイント装置であって、前記予め決められた数の前記無線フレームを含むウェイクアップ無線信号の送信後、第１の時間経過後にマルチキャスト送信先の複数のステーション装置に応答させるためのトリガーフレームを送信し、
前記第１の時間は、前記無線フレームのカウンタフィールドに設定する値に基づく事を特徴とするアクセスポイント装置。
【請求項４】
請求項１から請求項３のいずれかに記載のアクセスポイント装置であって、
ユニキャスト送信である事を示す識別子をさらに含み、または前記マルチキャスト送信を示す識別子がマルチキャスト送信を示さない時はユニキャスト送信を示し、ユニキャスト送信時とマルチキャスト送信時で前記無線フレームに含まれるカウンタフィールドとその他フィールドの少なくとも一つのフィールド長が変わる事を特徴とするアクセスポイント装置。
【請求項５】
請求項１から請求項４のいずれかに記載のアクセスポイント装置であって、
前記アクセスポイント装置が送信する無線フレームにシーケンス番号を含める事を特徴とするアクセスポイント装置。
【請求項６】
アクセスポイントと接続して無線通信を行うステーション装置であって、
無線ＬＡＮ信号とウェイクアップ無線信号を受信する受信ＲＦ部を備え、
前記ウェイクアップ無線信号は、レガシー部分とウェイクアップ無線部分から構成され、
前記レガシー部分の信号の帯域とウェイクアップ無線部分の信号の帯域は異なり、
前記ウェイクアップ無線信号はウェイクアップ無線フレームを含み、
前記ウェイクアップ無線フレームはマルチキャスト送信である事を示す識別子が含まれ、
前記マルチキャスト送信である事を示す識別子によってマルチキャスト送信である事を示す前記ウェイクアップ無線フレームを受信した時に、前記ウェイクアップ無線フレームに含まれるカウンタフレームの値によって示される第１の時間に、前記アクセスポイントに対してトリガーフレームを送信する事を特徴とするステーション装置。
【請求項７】
請求項６に記載のステーション装置であって、
受信した前記ウェイクアップ無線フレームはシーケンス番号を含み、
以前に受信した前記ウェイクアップ無線フレームに含まれたシーケンス番号と重複するシーケンス番号を含んだ前記ウェイクアップ無線フレームを受信した時は、前記重複したシーケンス番号を含む前記ウェイクアップ無線フレームを破棄する事を特徴とするステーション装置。
【請求項８】
請求項６または請求項７に記載のステーション装置であって、
前記マルチキャスト送信である事を示す識別子によりマルチキャスト送信である事を示された前記ウェイクアップ無線フレームと、マルチキャスト送信である事を示されない前記ウェイクアップ無線フレームのそれぞれに含まれるカウンタフィールドその他のフィールドのフィールド長が、マルチキャスト送信の時とそれ以外の時で変わる事を特徴とするステーション装置。
【請求項９】
アクセスポイントと接続して無線通信を行うステーション装置であって、
無線ＬＡＮ信号とウェイクアップ無線信号を受信する受信ＲＦ部を備え、
前記ウェイクアップ無線信号は、レガシー部分とウェイクアップ無線部分から構成され、
前記レガシー部分の信号の帯域とウェイクアップ無線部分の信号の帯域は異なり、
前記レガシー部分の信号とウェイクアップ無線部分の信号のそれぞれについて、総電力、電力密度のいずれか、または両方を個別に設定されている事を特徴とするステーション装置。
【請求項１０】
請求項９に記載のステーション装置であって、
接続先である前記アクセスポイントから、該ステーション装置に対して送信するウェイクアップ無線信号の帯域、総電力、電力密度の少なくとも１つを含む情報を受信する事を特徴とするステーション装置。
【請求項１１】
請求項９または請求項１０に記載のステーション装置であって、
接続先である前記アクセスポイントに対し、該ステーション装置が受信可能なウェイクアップ無線信号の帯域、総電力、電力密度の少なくとも１つを含む情報を送信する事を特徴とするステーション装置。
【請求項１２】
ステーション装置と接続して無線通信を行うアクセスポイント装置であって、
ステーション装置に対して無線ＬＡＮ信号とウェイクアップ無線信号を送信する送信ＲＦ部を備え、
前記ウェイクアップ無線信号は、レガシー部分とウェイクアップ無線部分から構成され、
前記レガシー部分の信号の帯域とウェイクアップ無線部分の信号の帯域は異なり、
前記レガシー部分の信号とウェイクアップ部分の信号のそれぞれについて、総電力、電力密度のいずれか、または両方を個別に設定する事を特徴とするアクセスポイント装置。
【請求項１３】
請求項１２に記載のアクセスポイント装置であって、
前記ステーション装置に対して送信するウェイクアップ無線信号のレガシー部分とウェイクアップ無線のそれぞれの総電力、または電力密度に関する情報を前記ステーション装置に対して送信する事を特徴とするアクセスポイント装置。
【請求項１４】
請求項１２または請求項１３に記載のアクセスポイント装置であって、
前記ステーション装置から前記ステーション装置が受信可能なウェイクアップ無線信号の帯域、総電力、電力密度の少なくとも１つを含む情報を受信する事を特徴とするアクセスポイント装置。
【請求項１５】
複数のステーション装置と接続して無線通信を行うアクセスポイント装置で使用する通信方法であって、
無線ＬＡＮ信号とウェイクアップ無線信号を送信し、
前記ウェイクアップ無線信号は、レガシー部分とウェイクアップ無線部分から構成され、
前記レガシー部分の信号の帯域とウェイクアップ無線部分の信号の帯域は異なり、
前記ウェイクアップ無線信号を送信する際にウェイクアップ無線フレームを含め、
前記ウェイクアップ無線フレームにマルチキャスト送信である事を示す識別子とカウンタフィールドを含め、
キャリアセンスによって確保した無線媒体時間に予め決められた数の前記ウェイクアップ無線フレームを含むウェイクアップ無線信号を送信する際に前記ウェイクアップ無線を送信する度にカウンタフィールドの値を減じ、
前記予め決められた数の前記ウェイクアップ無線フレームを含むウェイクアップ無線信号の送信後、第１の時間経過後にマルチキャスト送信先の複数のステーション装置に応答させるためのトリガーフレームを送信し、
前記第１の時間は前記ウェイクアップ無線フレームのカウンタフィールドに設定する値に基づく事を特徴とする通信方法。
【発明の詳細な説明】
【技術分野】
【０００１】
本発明は、端末装置、基地局装置、端末装置を少なくとも含んで構成される無線通信システムに適用される基地局装置、端末装置ならびに無線通信システムに関する。
【背景技術】
【０００２】
近年、比較的自由に使用できる自営の端末装置、基地局装置を少なくとも含んで構成される無線通信システムの利用が進んでおり、いわゆる無線ＬＡＮをはじめとする様々な形態で様々な用途に用いられている。特に無線ＬＡＮは導入の難易度が低く、インターネットへの接続を確保するネットワーク形態や、外部から隔離されたネットワーク形態のどちらにも適用可能で、広い用途に使用されている。無線ＬＡＮは、普及当初は通信速度が１Ｍｂｐｓ程度であったが、技術の進歩と共に高速化が進み、基地局装置における通信データの総スループットは１Ｇｂｐｓを超えている（非特許文献１、非特許文献２）。
【０００３】
一方無線ＬＡＮとは異なり、通信速度の高速化よりも端末装置の消費電力を低減することを主眼とした無線通信システムの利用も進んでいる。このような無線通信システムとしては、Ｂｌｕｅｔｏｏｒｈ（登録商標）やＺＩＧＢＥＥ（登録商標）などがあり、主に電池を電源として使用するシステムに使用されている。
【先行技術文献】
【非特許文献】
【０００４】
【非特許文献１】ＩＥＥＥ  ｓｔｄ  ８０２．１１−２０１２
【非特許文献２】ＩＥＥＥ  ｓｔｄ  ８０２．１１ａｃ−２０１３
【非特許文献３】ＩＥＥＥ  Ｐ８０２．１１，Ａ  ＰＡＲ  Ｐｒｏｐｏｓａｌ  ｆｏｒ  Ｗａｋｅ−ｕｐ  ｒａｄｉｏ
【発明の概要】
【発明が解決しようとする課題】
【０００５】
しかしながら、無線ＬＡＮの普及が広がるに従い、無線ＬＡＮを、電池を電源とする機器に導入することの要求が増えている。現在の無線ＬＡＮは待機時間を増やすパワーセーブ動作が規定されているが、消費電力を減らすためには待機時間を増やすしかなく、この事は通信データが発生した際に通信が可能となるまでの待ち時間、すなわちレイテンシの増大を意味し、ユーザー体験を著しく低下させる原因となっている。
【０００６】
無線ＬＡＮの物理層に低電力で動作する無線機能を付加し、待機時間にこの付加した無線機能を用いる事で、低消費電力と待機時間の短縮化を図る取り組みが行われているが（非特許文献３）、新たに発生するオーバーヘッドや、従来の無線ＬＡＮに対する悪影響を解決できていない。本発明は、このような事情に鑑みてなされたものであり、オーバーヘッドの低減と従来の無線ＬＡＮに対する影響を低減するもので、快適なユーザー体験を提供することを目的とする。
【課題を解決するための手段】
【０００７】
上記の目的を達成するために、本発明の一観点によれば、無線ＬＡＮ信号とウェイクアップ無線信号を送信する送信ＲＦ部を備え、ウェイクアップ無線信号は、レガシー部分とウェイクアップ無線部分から構成され、レガシー部分の信号の帯域とウェイクアップ無線部分の信号の帯域は異なり、ウェイクアップ無線信号に含まれるウェイクアップ無線フレームにはマルチキャスト送信である事を示す識別子が含まれ、キャリアセンスによって確保した無線媒体時間に予め決められた数の前記ウェイクアップ無線フレームを含むウェイ
クアップ無線信号を送信する事を特徴とするアクセスポイント装置が提供される。
【０００８】
また、本発明の他の観点によれば、無線フレームにカウンタフィールドを含み、ウェイクアップ無線信号の初送時に前記予め決められた数をカウンタフィールドに設定し、ウェイクアップ無線を複数回送信する度にカウンタフィールドの値を減ずる事を特徴とするアクセスポイント装置が提供される。
【０００９】
また、本発明の他の観点によれば、予め決められた数の無線フレームを含むウェイクアップ無線信号の送信後、第１の時間経過後に前記マルチキャスト送信先の複数のステーション装置に応答させるためのトリガーフレームを送信し、第１の時間は、前記無線フレームのカウンタフィールドに設定する値に基づく事を特徴とするアクセスポイント装置が提供される。
【００１０】
また、本発明の他の観点によれば、ユニキャスト送信である事を示す識別子をさらに含み、またはマルチキャスト送信を示す識別子がマルチキャスト送信を示さない時はユニキャスト送信を示し、ユニキャスト送信時とマルチキャスト送信時で前記無線フレームに含まれるカウンタフィールドとその他フィールドの少なくとも一つのフィールド長が変わる事を特徴とするアクセスポイント装置が提供される。
【００１１】
また、本発明の他の観点によれば、アクセスポイント装置が送信する無線フレームにシーケンス番号を含める事を特徴とするアクセスポイント装置が提供される。
【００１２】
また、本発明の他の観点によれば、無線ＬＡＮ信号とウェイクアップ無線信号を受信する受信ＲＦ部を備え、ウェイクアップ無線信号は、レガシー部分とウェイクアップ無線部分から構成され、レガシー部分の信号の帯域とウェイクアップ無線部分の信号の帯域は異なり、ウェイクアップ無線信号はウェイクアップ無線フレームを含み、ウェイクアップ無線フレームはマルチキャスト送信である事を示す識別子が含まれ、マルチキャスト送信である事を示す識別子によってマルチキャスト送信である事を示す前記ウェイクアップ無線フレームを受信した時に、ウェイクアップ無線フレームに含まれるカウンタフレームの値によって示される第１の時間に、アクセスポイントに対してトリガーフレームを送信する事を特徴とするステーション装置が提供される。
【００１３】
また、本発明の他の観点によれば、受信したウェイクアップ無線フレームはシーケンス番号を含み、以前に受信したウェイクアップ無線フレームに含まれたシーケンス番号と重複するシーケンス番号を含んだウェイクアップ無線フレームを受信した時は、重複したシーケンス番号を含むウェイクアップ無線フレームを破棄する事を特徴とするステーション装置が提供される。
【００１４】
また、本発明の他の観点によれば、マルチキャスト送信である事を示す識別子によりマルチキャスト送信である事を示されたウェイクアップ無線フレームと、マルチキャスト送信である事を示されないウェイクアップ無線フレームのそれぞれに含まれるカウンタフィールドその他のフィールドのフィールド長が、マルチキャスト送信の時とそれ以外の時で変わる事を特徴とするステーション装置が提供される。
【００１５】
また、本発明の他の観点によれば、無線ＬＡＮ信号とウェイクアップ無線信号を受信する受信ＲＦ部を備え、ウェイクアップ無線信号は、レガシー部分とウェイクアップ無線部分から構成され、レガシー部分の信号の帯域とウェイクアップ無線部分の信号の帯域は異なり、レガシー部分の信号とウェイクアップ無線部分の信号のそれぞれについて、総電力、電力密度のいずれか、または両方を個別に設定されている事を特徴とするステーション装置が提供される。
【００１６】
また、本発明の他の観点によれば、接続先であるアクセスポイントに対し、該ステーション装置が受信可能なウェイクアップ無線信号の帯域、総電力、電力密度の少なくとも１つを含む情報を送信する事を特徴とするステーション装置が提供される。
【００１７】
また、本発明の他の観点によれば、ステーション装置に対して無線ＬＡＮ信号とウェイクアップ無線信号を送信する送信ＲＦ部を備え、ウェイクアップ無線信号は、レガシー部分とウェイクアップ無線部分から構成され、レガシー部分の信号の帯域とウェイクアップ無線部分の信号の帯域は異なり、レガシー部分の信号とウェイクアップ部分の信号のそれぞれについて、総電力、電力密度のいずれか、または両方を個別に設定する事を特徴とするアクセスポイント装置が提供される。
【００１８】
また、本発明の他の観点によれば、ステーション装置に対して送信するウェイクアップ無線信号のレガシー部分とウェイクアップ無線のそれぞれの総電力、または電力密度に関する情報を前記ステーション装置に対して送信する事を特徴とするアクセスポイント装置が提供される。
【００１９】
また、本発明の他の観点によれば、ステーション装置から前記ステーション装置が受信可能なウェイクアップ無線信号の帯域、総電力、電力密度の少なくとも１つを含む情報を受信する事を特徴とするアクセスポイント装置が提供される。
【００２０】
また、本発明の他の観点によれば、無線ＬＡＮ信号とウェイクアップ無線信号を送信し、ウェイクアップ無線信号は、レガシー部分とウェイクアップ無線部分から構成され、レガシー部分の信号の帯域とウェイクアップ無線部分の信号の帯域は異なり、ウェイクアップ無線信号を送信する際にウェイクアップ無線フレームを含め、ウェイクアップ無線フレームにマルチキャスト送信である事を示す識別子とカウンタフィールドを含め、キャリアセンスによって確保した無線媒体時間に予め決められた数のウェイクアップ無線フレームを含むウェイクアップ無線信号を送信する際にウェイクアップ無線を送信する度にカウンタフィールドの値を減じ、前記予め決められた数の前記無線フレームを含むウェイクアップ無線信号の送信後、第１の時間経過後にマルチキャスト送信先の複数のステーション装置に応答させるためのトリガーフレームを送信し、第１の時間は前記無線フレームのカウンタフィールドに設定する値に基づく事を特徴とする通信方法が提供される。
【発明の効果】
【００２１】
本発明によれば、ＷＵ無線信号に含まれるレガシー部分とＷＵ無線部分の電力密度の違いに起因する受信特性の劣化によるオーバーヘッドや、ＷＵ無線信号のマルチキャスト送信時に発生するオーバーヘッドを低減し、ユーザー体験を改善する事が可能となる。
【図面の簡単な説明】
【００２２】
【図１】本発明の一実施形態の機器構成例を示す図である。
【図２】ＩＥＥＥ８０２．１１ａｃ規格のＰＰＤＵ構成を示す図である。
【図３】Ｌ−ＳＩＧ  Ｄｕｌａｔｉｏｎの一例を示す図である。
【図４】周波数リソース分割の一例を示す図である。
【図５】無線通信装置が送信するＰＰＤＵの構成の一例を示す図である。
【図６】本発明の一実施形態の機器構成例を示す図である。
【図７】本発明の一実施形態のＷＵ無線フレームの構成例を示す図である。
【図８】本発明の一実施形態のＷＵ無線フレームの構成例を示す図である。
【図９】本発明の一実施形態におけるＷＵ無線チャネルの配置例を示す図である。
【図１０】本発明の一実施形態のＷＵ無線フレームの構成例を示す図である。
【図１１】本発明の一実施形態における動作概要を示すシーケンスチャートを示す図である。
【図１２】本発明の一実施形態で使用するステーションの構成の一例を示すブロック図である。
【図１３】本発明の一実施形態で使用するステーションの構成の一例を示すブロック図である。
【図１４】本発明の一実施形態で使用するＷＵ無線信号の構成の一例を示す図である。
【図１５】本発明の一実施形態で使用するＷＵ無線フレームの構成の一例を示す図である。
【図１６】本発明の一実施形態におけるステーションの動作概要を示すフローチャート図である。
【発明を実施するための形態】
【００２３】
以下、本発明の実施形態による無線通信技術について図面を参照しながら詳細に説明する。
【００２４】
本実施形態における通信システムは、無線送信装置（アクセスポイント、基地局装置: Access point、基地局装置、アクセスポイント装置）、および複数の無線受信装置（ステーション、端末装置: station、端末装置、ステーション装置）を備える。また、基地局
装置と端末装置とで構成されるネットワークを基本サービスセット（BSS: Basic service
set、管理範囲）と呼ぶ。また、基地局装置と、端末装置をまとめて、無線装置とも呼称する。
【００２５】
ＢＳＳ内の基地局装置および端末装置は、それぞれＣＳＭＡ／ＣＡ（Carrier sense multiple access with collision avoidance）に基づいて、通信を行なうものとする。本実施形態においては、基地局装置が複数の端末装置と通信を行なうインフラストラクチャモードを対象とするが、本実施形態の方法は、端末装置同士が通信を直接行なうアドホックモードでも実施可能である。アドホックモードでは、端末装置が、基地局装置の代わりとなりＢＳＳを形成する。アドホックモードにおけるＢＳＳを、ＩＢＳＳ（Independent Basic Service Set）とも呼称する。以下では、アドホックモードにおいてＩＢＳＳを形成
する端末装置を、基地局装置とみなすこともできる。
【００２６】
ＩＥＥＥ８０２．１１システムでは、各装置は、共通のフレームフォーマットを持った複数のフレームタイプの送信フレームを送信することが可能である。送信フレームは、物理（Physical：ＰＨＹ）層、媒体アクセス制御（Medium access control：ＭＡＣ）層、
論理リンク制御（LLC: Logical Link Control）層、でそれぞれ定義されている。
【００２７】
ＰＨＹ層の送信フレームは、物理プロトコルデータユニット（PPDU: PHY protocol data unit、物理層フレーム）と呼ばれる。ＰＰＤＵは、物理層での信号処理を行なうためのヘッダ情報等が含まれる物理層ヘッダ（PHYヘッダ）と、物理層で処理されるデータユニ
ットである物理サービスデータユニット（PSDU: PHY service data unit、ＭＡＣ層フレ
ーム）等から構成される。ＰＳＤＵは無線区間における再送単位となるＭＡＣプロトコルデータユニット（MPDU: MAC protocol data unit）が複数集約された集約ＭＰＤＵ（A-MPDU: Aggregated MPDU）で構成されることが可能である。
【００２８】
ＰＨＹヘッダには、信号の検出・同期等に用いられるショートトレーニングフィールド（STF: Short training field）、データ復調のためのチャネル情報を取得するために用
いられるロングトレーニングフィールド（LTF: Long training field）などの参照信号と、データ復調のための制御情報が含まれているシグナル（Signal：ＳＩＧ）などの制御信号が含まれる。また、ＳＴＦは、対応する規格に応じて、レガシーＳＴＦ（L-STF: Legac
y-STF）や、高スループットＳＴＦ（HT-STF: High throughput-STF）や、超高スループットＳＴＦ（VHT-STF: Very high throughput-STF）や、高効率ＳＴＦ（HE-STF: High efficiency-STF）等に分類され、ＬＴＦやＳＩＧも同様にＬ−ＬＴＦ、ＨＴ−ＬＴＦ、ＶＨＴ−ＬＴＦ、ＨＥ−ＬＴＦ、Ｌ−ＳＩＧ、ＨＴ−ＳＩＧ、ＶＨＴ−ＳＩＧ、ＨＥ−ＳＩＧに分類される。ＶＨＴ−ＳＩＧは更にＶＨＴ−ＳＩＧ−Ａ１とＶＨＴ−ＳＩＧ−Ａ２とＶＨＴ−ＳＩＧ−Ｂに分類される。同様に、ＨＥ−ＳＩＧは、ＨＥ−ＳＩＧ−Ａ１〜４と、ＨＥ−ＳＩＧ−Ｂに分類される。
【００２９】
さらに、ＰＨＹヘッダは当該送信フレームの送信元のＢＳＳを識別する情報（以下、ＢＳＳ識別情報とも呼称する）を含むことができる。ＢＳＳを識別する情報は、例えば、当該ＢＳＳのＳＳＩＤ（Service Set Identifier）や当該ＢＳＳの基地局装置のＭＡＣアドレスであることができる。また、ＢＳＳを識別する情報は、ＳＳＩＤやＭＡＣアドレス以外の、ＢＳＳに固有な値（例えばＢＳＳ  Ｃｏｌｏｒ等）であることができる。
【００３０】
ＰＰＤＵは対応する規格に応じて変調される。例えば、ＩＥＥＥ８０２．１１ｎ規格であれば、直交周波数分割多重（OFDM: Orthogonal frequency division multiplexing）信号に変調される。例えば、ＩＥＥＥ８０２．１１ａｄ規格であれば、シングルキャリア信号に変調されることもできる。
【００３１】
ＭＰＤＵはＭＡＣ層での信号処理を行なうためのヘッダ情報等が含まれるＭＡＣ層ヘッダ（MAC header）と、ＭＡＣ層で処理されるデータユニットであるＭＡＣサービスデータユニット（MSDU: MAC service data unit）もしくはフレームボディ、ならびにフレーム
に誤りがないかをどうかをチェックするフレーム検査部（Frame check sequence：ＦＣＳ）で構成されている。また、複数のＭＳＤＵは集約ＭＳＤＵ（A-MSDU: Aggregated MSDU
）として集約されることも可能である。
【００３２】
ＭＡＣ層の送信フレームのフレームタイプは、装置間の接続状態などを管理するマネージメントフレーム、装置間の通信状態を管理するコントロールフレーム、および実際の送信データを含むデータフレームの３つに大きく分類され、それぞれは更に複数種類のサブフレームタイプに分類される。コントロールフレームには、受信完了通知（Ack: Acknowledge）フレーム、送信要求（RTS: Request to send）フレーム、受信準備完了（CTS: Clear to send）フレーム等が含まれる。マネージメントフレームには、ビーコン（Beacon）フレーム、プローブ要求（Probe request）フレーム、プローブ応答（Probe response）
フレーム、認証（Authentication）フレーム、接続要求（Association request）フレー
ム、接続応答（Association response）フレーム等が含まれる。データフレームには、データ（Data）フレーム、ポーリング（CF-poll）フレーム等が含まれる。各装置は、ＭＡ
Ｃヘッダに含まれるフレームコントロールフィールドの内容を読み取ることで、受信したフレームのフレームタイプおよびサブフレームタイプを把握することができる。
【００３３】
なお、Ａｃｋには、Ｂｌｏｃｋ  Ａｃｋが含まれても良い。Ｂｌｏｃｋ  Ａｃｋは、複数のＭＰＤＵに対する受信完了通知を実施可能である。
【００３４】
ビーコンフレームには、ビーコンが送信される周期（Beacon interval）やＳＳＩＤを
記載するフィールド（Field）が含まれる。基地局装置は、ビーコンフレームを周期的に
ＢＳＳ内に報知することが可能であり、端末装置はビーコンフレームを受信することで、端末装置周辺の基地局装置を把握することが可能である。端末装置が基地局装置より報知されるビーコンフレームに基づいて基地局装置を把握することを受動的スキャニング（Passive scanning）と呼ぶ。一方、端末装置がプローブ要求フレームをＢＳＳ内に報知することで、基地局装置を探査することを能動的スキャニング（Active scanning）と呼ぶ。
基地局装置は該プローブ要求フレームへの応答としてプローブ応答フレームを送信するこ
とが可能であり、該プローブ応答フレームの記載内容は、ビーコンフレームと同等である。
【００３５】
端末装置は基地局装置を認識したあとに、該基地局装置に対して接続処理を行なう。接続処理は認証（Authentication）手続きと接続（Association）手続きに分類される。端
末装置は接続を希望する基地局装置に対して、認証フレーム（認証要求）を送信する。基地局装置は、認証フレームを受信すると、該端末装置に対する認証の可否などを示すステータスコードを含んだ認証フレーム（認証応答）を該端末装置に送信する。端末装置は、該認証フレームに記載されたステータスコードを読み取ることで、自装置が該基地局装置に認証を許可されたか否かを判断することができる。なお、基地局装置と端末装置は認証フレームを複数回やり取りすることが可能である。
【００３６】
端末装置は認証手続きに続いて、基地局装置に対して接続手続きを行なうために、接続要求フレームを送信する。基地局装置は接続要求フレームを受信すると、該端末装置の接続を許可するか否かを判断し、その旨を通知するために、接続応答フレームを送信する。接続応答フレームには、接続処理の可否を示すステータスコードに加えて、端末装置を識別するためのアソシエーション識別番号（AID: Association identifier）が記載されて
いる。基地局装置は接続許可を出した端末装置にそれぞれ異なるＡＩＤを設定することで、複数の端末装置を管理することが可能となる。
【００３７】
接続処理が行われたのち、基地局装置と端末装置は実際のデータ伝送を行なう。ＩＥＥＥ８０２．１１システムでは、分散制御機構（DCF: Distributed Coordination Function）と集中制御機構（PCF: Point Coordination Function）、およびこれらが拡張された機構（拡張分散チャネルアクセス（EDCA: Enhanced distributed channel access）や、ハ
イブリッド制御機構(HCF: Hybrid coordination function)等）が定義されている。以下
では、基地局装置が端末装置にＤＣＦで信号を送信する場合を例にとって説明する。
【００３８】
ＤＣＦでは、基地局装置および端末装置は、通信に先立ち、自装置周辺の無線チャネルの使用状況を確認するキャリアセンス（CS: Carrier sense）を行なう。例えば、送信局
である基地局装置は予め定められたクリアチャネル評価レベル（ＣＣＡレベル: Clear channel assessment level）よりも高い信号を該無線チャネルで受信した場合、該無線チャネルでの送信フレームの送信を延期する。以下では、該無線チャネルにおいて、ＣＣＡレベル以上の信号が検出される状態をビジー（Busy）状態、ＣＣＡレベル以上の信号が検出されない状態をアイドル（Idle）状態と呼ぶ。このように、各装置が実際に受信した信号の電力（受信電力レベル）に基づいて行なうＣＳを物理キャリアセンス（物理CS）と呼ぶ。なおＣＣＡレベルをキャリアセンスレベル（CS level）、もしくはＣＣＡ閾値（CCA threshold：ＣＣＡＴ）とも呼ぶ。なお、基地局装置および端末装置は、ＣＣＡレベル以上
の信号を検出した場合は、少なくともＰＨＹ層の信号を復調する動作に入る。そのため、キャリアセンスレベルは、基地局装置および端末装置が、受信したフレームを正しく復調できる最小の受信電力（最小受信感度）ということもできる。
【００３９】
基地局装置は送信する送信フレームに種類に応じたフレーム間隔（IFS: Inter frame space）だけキャリアセンスを行ない、無線チャネルがビジー状態かアイドル状態かを判断する。基地局装置がキャリアセンスする期間は、これから基地局装置が送信する送信フレームのフレームタイプおよびサブフレームタイプによって異なる。ＩＥＥＥ８０２．１１システムでは、期間の異なる複数のＩＦＳが定義されており、最も高い優先度が与えられた送信フレームに用いられる短フレーム間隔（SIFS: Short IFS）、優先度が比較的高い
送信フレームに用いられるポーリング用フレーム間隔（PCF IFS: ＰＩＦＳ）、最も優先
度の低い送信フレームに用いられる分散制御用フレーム間隔（DCF IFS: ＤＩＦＳ）があ
り、優先度の高い送信フレームに用いられるＩＦＳの方が、期間は短い。基地局装置がＤ
ＣＦでデータフレームを送信する場合、基地局装置はＤＩＦＳを用いる。なお、ＥＤＣＡにおいては、調停フレーム間隔（AIFS：Arbitration IFS）が利用可能であり、ＡＩＦＳ
では、基地局装置が送信するフレームに設定されるアクセスカテゴリー（AC：Access category）毎に、異なる期間を設定することが可能であり、フレームの優先度を更に柔軟に
設定可能となる。
【００４０】
基地局装置はＤＩＦＳだけ待機したあとで、フレームの衝突を防ぐためのランダムバックオフ時間だけ更に待機する。ＩＥＥＥ８０２．１１システムにおいては、コンテンションウィンドウ（CW: Contention window）と呼ばれるランダムバックオフ時間が用いられ
る。ＣＳＭＡ／ＣＡでは、ある送信局が送信した送信フレームは、他送信局からの干渉が無い状態で受信局に受信されることを前提としている。そのため、送信局同士が同じタイミングで送信フレームを送信してしまうと、フレーム同士が衝突してしまい、受信局は正しく受信することができない。そこで、各送信局が送信開始前に、ランダムに設定される時間だけ待機することで、フレームの衝突が回避される。基地局装置はキャリアセンスによって無線チャネルがアイドル状態であると判断すると、ＣＷのカウントダウンを開始し、ＣＷが０となって初めて送信権を獲得し、端末装置に送信フレームを送信できる。なお、ＣＷのカウントダウン中に基地局装置がキャリアセンスによって無線チャネルをビジー状態と判断した場合は、ＣＷのカウントダウンを停止する。そして、無線チャネルがアイドル状態となった場合、先のＩＦＳに続いて、基地局装置は残留するＣＷのカウントダウンを再開する。
【００４１】
受信局である端末装置は、送信フレームを受信し、該送信フレームのＰＨＹヘッダを読み取り、受信した送信フレームを復調する。そして、端末装置は復調した信号のＭＡＣヘッダを読み取ることで、該送信フレームが自装置宛てのものか否かを認識することができる。なお、端末装置は、ＰＨＹヘッダに記載の情報（例えばVHT-SIG-Aの記載されるグル
ープ識別番号(GID: Group identifier, Group ID)）に基づいて、該送信フレームの宛先
を判断することも可能である。
【００４２】
端末装置は、受信した送信フレームが自装置宛てのものと判断し、そして誤りなく送信フレームを復調できた場合、フレームを正しく受信できたことを示すＡＣＫフレームを送信局である基地局装置に送信しなければならない。ＡＣＫフレームは、ＳＩＦＳ期間の待機だけ（ランダムバックオフ時間は取られない）で送信される最も優先度の高い送信フレームの一つである。基地局装置は端末装置から送信されるＡＣＫフレームの受信をもって、一連の通信を終了する。なお、端末装置がフレームを正しく受信できなかった場合、端末装置はＡＣＫを送信しない。よって基地局装置は、フレーム送信後、一定期間（ＳＩＦＳ＋ＡＣＫフレーム長）の間、受信局からのＡＣＫフレームを受信しなかった場合、通信は失敗したものとして、通信を終了する。このように、ＩＥＥＥ８０２．１１システムの１回の通信（バーストとも呼ぶ）の終了は、ビーコンフレームなどの報知信号の送信の場合や、送信データを分割するフラグメンテーションが用いられる場合などの特別な場合を除き、必ずＡＣＫフレームの受信の有無で判断されることになる。
【００４３】
端末装置は、受信した送信フレームが自装置宛てのものではないと判断した場合、ＰＨＹヘッダ等に記載されている該送信フレームの長さ（Length）に基づいて、ネットワークアロケーションベクタ（NAV: Network allocation vector）を設定する。端末装置は、ＮＡＶに設定された期間は通信を試行しない。つまり、端末装置は物理ＣＳによって無線チャネルがビジー状態と判断した場合と同じ動作をＮＡＶに設定された期間行なうことになるから、ＮＡＶによる通信制御は仮想キャリアセンス（仮想CS）とも呼ばれる。ＮＡＶは、ＰＨＹヘッダに記載の情報に基づいて設定される場合に加えて、隠れ端末問題を解消するために導入される送信要求（RTS: Request to send）フレームや、受信準備完了（CTS:
Clear to send）フレームによっても設定される。
【００４４】
各装置がキャリアセンスを行ない、自律的に送信権を獲得するＤＣＦに対して、ＰＣＦは、ポイントコーディネータ（PC: Point coordinator）と呼ばれる制御局が、ＢＳＳ内
の各装置の送信権を制御する。一般に基地局装置がＰＣとなり、ＢＳＳ内の端末装置の送信権を獲得することになる。
【００４５】
ＰＣＦによる通信期間には、非競合期間（CFP: Contention free period）と競合期間
（CP: Contention period）が含まれる。ＣＰの間は、前述してきたＤＣＦに基づいて通
信が行われ、ＰＣが送信権を制御するのはＣＦＰの間となる。ＰＣである基地局装置は、ＣＦＰの期間（CFP Max duration）などが記載されたビーコンフレームをＰＣＦの通信に先立ちＢＳＳ内に報知する。なお、ＰＣＦの送信開始時に報知されるビーコンフレームの送信にはＰＩＦＳが用いられ、ＣＷを待たずに送信される。該ビーコンフレームを受信した端末装置は、該ビーコンフレームに記載されたＣＦＰの期間をＮＡＶに設定する。以降、ＮＡＶが経過する、もしくはＣＦＰの終了をＢＳＳ内に報知する信号（例えばCF-endを含んだデータフレーム）が受信されるまでは、端末装置はＰＣより送信される送信権獲得をシグナリングする信号（例えばCF-pollを含んだデータフレーム）を受信した場合のみ
、送信権を獲得可能である。なお、ＣＦＰの期間内では、同一ＢＳＳ内でのパケットの衝突は発生しないから、各端末装置はＤＣＦで用いられるランダムバックオフ時間を取らない。
【００４６】
無線媒体は複数のリソースユニット（Resource unit：ＲＵ）に分割されることができ
る。図４は無線媒体の分割状態の１例を示す概要図である。例えば、リソース分割例１では、無線通信装置は無線媒体である周波数リソース（サブキャリア）を９個のＲＵに分割することができる。同様に、リソース分割例２では、無線通信装置は無線媒体であるサブキャリアを５個のＲＵに分割することができる。当然ながら、図４に示すリソース分割例はあくまで１例であり、例えば、複数のＲＵはそれぞれ異なるサブキャリア数によって構成されることも可能である。また、ＲＵとして分割される無線媒体には周波数リソースだけではなく空間リソースも含まれることができる。無線通信装置（例えばＡＰ）は、各ＲＵに異なる端末装置宛てのフレームを配置することで、複数の端末装置（例えば複数のＳＴＡ）に同時にフレームを送信することができる。ＡＰは、無線媒体の分割の状態を示す情報（Resource allocation information）を、共通制御情報として、自装置が送信する
フレームのＰＨＹヘッダに記載することができる。更に、ＡＰは、各ＳＴＡ宛てのフレームが配置されたＲＵを示す情報（resource unit assignment information）を、固有制御情報として、自装置が送信するフレームのＰＨＹヘッダに記載することができる。
【００４７】
また、複数の端末装置（例えば複数のＳＴＡ）は、それぞれ割り当てられたＲＵにフレームを配置して送信することで、同時にフレームを送信することができる。複数のＳＴＡは、ＡＰから送信されるトリガ情報を含んだフレーム（Trigger frame：ＴＦ）を受信し
た後、所定の期間待機したのち、フレーム送信を行なうことができる。各ＳＴＡは、該ＴＦに記載の情報に基づいて自装置に割り当てられたＲＵを把握することができる。また、各ＳＴＡは、該ＴＦを基準としたランダムアクセスによりＲＵを獲得することができる。
【００４８】
ＡＰは、１つのＳＴＡに複数のＲＵを同時に割り当てることができる。該複数のＲＵは、連続するサブキャリアで構成されることも出来るし、不連続のサブキャリアで構成されることも出来る。ＡＰは、１つのＳＴＡに割り当てた複数のＲＵを用いて、１つのフレームを送信することが出来るし、複数のフレームをそれぞれ異なるＲＵに割り当てて送信することができる。該複数のフレームの少なくとも１つは、Ｒｅｓｏｕｒｃｅ  ａｌｌｏｃａｔｉｏｎ  ｉｎｆｏｒｍａｔｉｏｎを送信する複数の端末装置に対する共通の制御情報を含むフレームであることができる。
【００４９】
１つのＳＴＡは、ＡＰより複数のＲＵを割り当てられることができる。ＳＴＡは、割り当てられた複数のＲＵを用いて、１つのフレームを送信することができる。また、ＳＴＡは割り当てられた複数のＲＵを用いて、複数のフレームをそれぞれ異なるＲＵに割り当てて送信することができる。該複数のフレームは、それぞれ異なるフレームタイプのフレームであることができる。
【００５０】
ＡＰは、１つのＳＴＡに複数のＡＩＤ（Associate ID）を割り当てることができる。ＡＰは、１つのＳＴＡに割り当てた複数のＡＩＤに対して、それぞれＲＵを割り当てることができる。ＡＰは、１つのＳＴＡに割り当てた複数のＡＩＤに対して、それぞれ割り当てたＲＵを用いて、それぞれ異なるフレームを送信することができる。該異なるフレームは、それぞれ異なるフレームタイプのフレームであることができる。
【００５１】
１つのＳＴＡは、ＡＰより複数のＡＩＤ（Associate ID）を割り当てられることができる。１つのＳＴＡは割り当てられた複数のＡＩＤに対して、それぞれＲＵを割り当てられることができる。１つのＳＴＡは、自装置に割り当てられた複数のＡＩＤにそれぞれ割り当てられたＲＵは、全て自装置に割り当てられたＲＵと認識し、該割り当てられた複数のＲＵを用いて、１つのフレームを送信することができる。また、１つのＳＴＡは、該割り当てられた複数のＲＵを用いて、複数のフレームを送信することができる。このとき、該複数のフレームには、それぞれ割り当てられたＲＵに関連付けられたＡＩＤを示す情報を記載して送信することができる。ＡＰは、１つのＳＴＡに割り当てた複数のＡＩＤに対して、それぞれ割り当てたＲＵを用いて、それぞれ異なるフレームを送信することができる。該異なるフレームは、異なるフレームタイプのフレームであることができる。
【００５２】
以下では、基地局装置、端末装置を総称して、無線通信装置とも呼称する。また、ある無線通信装置が別の無線通信装置と通信を行う際にやりとりされる情報をデータ（data）とも呼称する。つまり、無線通信装置は、基地局装置及び端末装置を含む。
【００５３】
無線通信装置は、ＰＰＤＵを送信する機能と受信する機能のいずれか、または両方を備える。図５は、無線通信装置が送信するＰＰＤＵ構成の一例を示した図である。ＩＥＥＥ８０２．１１ａ／ｂ／ｇ規格に対応するＰＰＤＵはＬ−ＳＴＦ、Ｌ−ＬＴＦ、Ｌ−ＳＩＧ及びＤａｔａフレーム（ＭＡＣ  Ｆｒａｍｅ、ＭＡＣフレーム、ペイロード、データ部、データ、情報ビット等）を含んだ構成である。ＩＥＥＥ８０２．１１ｎ規格に対応するＰＰＤＵはＬ−ＳＴＦ、Ｌ−ＬＴＦ、Ｌ−ＳＩＧ、ＨＴ−ＳＩＧ、ＨＴ−ＳＴＦ、ＨＴ−ＬＴＦ及びＤａｔａフレームを含んだ構成である。ＩＥＥＥ８０２．１１ａｃ規格に対応するＰＰＤＵはＬ−ＳＴＦ、Ｌ−ＬＴＦ、Ｌ−ＳＩＧ、ＶＨＴ−ＳＩＧ−Ａ、ＶＨＴ−ＳＴＦ、ＶＨＴ−ＬＴＦ、ＶＨＴ−ＳＩＧ−Ｂ及びＭＡＣフレームの一部あるいは全てを含んだ構成である。ＩＥＥＥ８０２．１１ａｘ標準で検討されているＰＰＤＵは、Ｌ−ＳＴＦ、Ｌ−ＬＴＦ、Ｌ−ＳＩＧ、Ｌ−ＳＩＧが時間的に繰り返されたＲＬ−ＳＩＧ、ＨＥ−ＳＩＧ−Ａ、ＨＥ−ＳＴＦ、ＨＥ−ＬＴＦ、ＨＥ−ＳＩＧ−Ｂ及びＤａｔａフレームの一部あるいは全てを含んだ構成である。
【００５４】
図５中の点線で囲まれているＬ−ＳＴＦ、Ｌ−ＬＴＦ及びＬ−ＳＩＧはＩＥＥＥ８０２．１１規格において共通に用いられる構成である（以下では、Ｌ−ＳＴＦ、Ｌ−ＬＴＦ及びＬ−ＳＩＧをまとめてＬ−ヘッダとも呼称する）。つまり、例えばＩＥＥＥ  ８０２．１１ａ／ｂ／ｇ規格に対応する無線通信装置は、ＩＥＥＥ８０２．１１ｎ／ａｃ規格に対応するＰＰＤＵ内のＬ−ヘッダを適切に受信することが可能である。ＩＥＥＥ  ８０２．１１ａ／ｂ／ｇ規格に対応する無線通信装置は、ＩＥＥＥ８０２．１１ｎ／ａｃ規格に対応するＰＰＤＵを、ＩＥＥＥ  ８０２．１１ａ／ｂ／ｇ規格に対応するＰＰＤＵとみなして受信することができる。
【００５５】
ただし、ＩＥＥＥ  ８０２．１１ａ／ｂ／ｇ規格に対応する無線通信装置はＬ−ヘッダの後に続く、ＩＥＥＥ８０２．１１ｎ／ａｃ規格に対応するＰＰＤＵを復調することができないため、送信アドレス（ＴＡ：Ｔｒａｎｓｍｉｔｔｅｒ  Ａｄｄｒｅｓｓ）や受信アドレス（ＲＡ：Ｒｅｃｅｉｖｅｒ  Ａｄｄｒｅｓｓ）やＮＡＶの設定に用いられるＤｕｒａｔｉｏｎ／ＩＤフィールドに関する情報を復調することができない。
【００５６】
ＩＥＥＥ  ８０２．１１ａ／ｂ／ｇ規格に対応する無線通信装置が適切にＮＡＶを設定する（あるいは所定の期間受信動作を行う）ための方法として、ＩＥＥＥ８０２．１１は、Ｌ−ＳＩＧにＤｕｒａｔｉｏｎ情報を挿入する方法を規定している。Ｌ−ＳＩＧ内の伝送速度に関する情報（ＲＡＴＥ  ｆｉｅｌｄ、Ｌ−ＲＡＴＥ  ｆｉｅｌｄ、Ｌ−ＲＡＴＥ、Ｌ＿ＤＡＴＡＲＡＴＥ、Ｌ＿ＤＡＴＡＲＡＴＥ  ｆｉｅｌｄ）、伝送期間に関する情報（ＬＥＮＧＴＨ  ｆｉｅｌｄ、Ｌ−ＬＥＮＧＴＨ  ｆｉｅｌｄ、Ｌ−ＬＥＮＧＴＨ）は、ＩＥＥＥ  ８０２．１１ａ／ｂ／ｇ規格に対応する無線通信装置が適切にＮＡＶを設定するために使用される。
【００５７】
図２は、Ｌ−ＳＩＧに挿入されるＤｕｒａｔｉｏｎ情報の方法の一例を示す図である。図２においては、一例としてＩＥＥＥ８０２．１１ａｃ規格に対応するＰＰＤＵ構成を示しているが、ＰＰＤＵ構成はこれに限定されない。ＩＥＥＥ８０２．１１ｎ規格に対応のＰＰＤＵ構成及びＩＥＥＥ８０２．１１ａｘ規格に対応するＰＰＤＵ構成でも良い。ＴＸＴＩＭＥは、ＰＰＤＵの長さに関する情報を備え、ａＰｒｅａｍｂｌｅＬｅｎｇｔｈは、プリアンブル（Ｌ−ＳＴＦ＋Ｌ−ＬＴＦ）の長さに関する情報を備え、ａＰＬＣＰＨｅａｄｅｒＬｅｎｇｔｈは、ＰＬＣＰヘッダ（Ｌ−ＳＩＧ）の長さに関する情報を備える。次式（１）は、Ｌ＿ＬＥＮＧＴＨの算出方法の一例を示した数式である。
【００５８】
【数１】
2020109885.tif 000003
【００５９】
ここで、Ｓｉｇｎａｌ  Ｅｘｔｅｎｓｉｏｎは、例えばＩＥＥＥ８０２．１１規格の互換性をとるために設定される仮想的な期間であり、Ｎｏｐｓは、Ｌ＿ＲＡＴＥに関連する情報を示している。ａＳｙｍｂｏｌＬｅｎｇｔｈは、１シンボル（ｓｙｍｂｏｌ，ＯＦＤＭ  ｓｙｍｂｏｌ等）の期間に関する情報であり、ａＰＬＣＰＳｅｒｖｉｃｅＬｅｎｇｔｈは、ＰＬＣＰ  Ｓｅｒｖｉｃｅ  ｆｉｅｌｄが含むビット数を示し、ａＰＬＣＰＣｏｎｖｏｌｕｔｉｏｎａｌＴａｉｌＬｅｎｇｔｈは、畳みこみ符号のテールビット数を示す。無線通信装置は、例えば式（１）を用いてＬ＿ＬＥＮＧＴＨを算出し、Ｌ−ＳＩＧに挿入することができる。なお、Ｌ＿ＬＥＮＧＴＨの算出方法は式（１）に限定されない。例えば、Ｌ＿ＬＥＮＧＴＨは次式（２）によって算出されることもできる。
【００６０】
【数２】
2020109885.tif 000004
【００６１】
無線通信装置がＬ−ＳＩＧ  ＴＸＯＰ  ＰｒｏｔｅｃｔｉｏｎによりＰＰＤＵを送信する場合、次式（３）または次式（４）によりＬ＿ＬＥＮＧＴＨの算出を行う。
【００６２】
【数３】
2020109885.tif 000005
【００６３】
【数４】
2020109885.tif 000006
【００６４】
ここで、Ｌ−ＳＩＧ  Ｄｕｒａｔｉｏｎは、例えば式（３）または式（４）により算出されたＬ＿ＬＥＮＧＴＨを含むＰＰＤＵと、その応答として宛先の無線通信装置より送信されることが期待されるＡｃｋとＳＩＦＳの期間を合計した期間に関する情報を示す。無線通信装置は、次式（５）または次式（６）によりＬ−ＳＩＧ  Ｄｕｒａｔｉｏｎを算出する。
【００６５】
【数５】
2020109885.tif 000007
【００６６】
【数６】
2020109885.tif 000008
【００６７】
ここで、Ｔｉｎｉｔ＿ＰＰＤＵは式（５）により算出されたＬ＿ＬＥＮＧＴＨを含むＰＰＤＵの期間に関する情報を示し、ＴＲｅｓ＿ＰＰＤＵは式（５）により算出されたＬ＿ＬＥＮＧＴＨを含むＰＰＤＵに対して期待される応答のＰＰＤＵ期間に関する情報を示す。また、ＴＭＡＣＤｕｒは、式（６）により算出されたＬ＿ＬＥＮＧＴＨを含むＰＰＤＵ内のＭＡＣフレームが含むＤｕｒａｔｉｏｎ／ＩＤ  ｆｉｅｌｄの値に関連する情報を示す。無線通信装置がＩｎｉｔｉａｔｏｒ（開始者、送信者、先導者、Ｔｒａｎｓｍｉｔｔｅｒ）である場合、式（５）を用いてＬ＿ＬＥＮＧＴＨを算出し、無線通信装置がＲｅｓｐｏｎｄｅｒ（対応者、受信者、Ｒｅｃｅｉｖｅｒ）である場合、式（６）を用いてＬ＿ＬＥＮＧＴＨを算出する。
【００６８】
図３は、Ｌ−ＳＩＧ  ＴＸＯＰ  Ｐｒｏｔｅｃｔｉｏｎにおける、Ｌ−ＳＩＧ  Ｄｕｒａｔｉｏｎの一例を示した図である。ＤＡＴＡ（フレーム、ペイロード、データ等）は、ＭＡＣフレームとＰＬＣＰヘッダの一部または両方から構成される。また、ＢＡはＢｌｏｃｋ  Ａｃｋ、またはＡｃｋである。ＰＰＤＵは、Ｌ−ＳＴＦ，Ｌ−ＬＴＦ，Ｌ−ＳＩＧを含み、さらにＤＡＴＡ，ＢＡ、ＲＴＳあるいはＣＴＳのいずれかまたはいずれか複数を含んで構成されることができる。図３に示す一例では、ＲＴＳ／ＣＴＳを用いたＬ−ＳＩＧ  ＴＸＯＰ  Ｐｒｏｔｅｃｔｉｏｎを示しているが、ＣＴＳ−ｔｏ−Ｓｅｌｆを用いても良い。ここで、ＭＡＣ  Ｄｕｒａｔｉｏｎは、Ｄｕｒａｔｉｏｎ／ＩＤ  ｆｉｅｌｄの値によって示される期間である。また、ＩｎｉｔｉａｔｏｒはＬ−ＳＩＧ  ＴＸＯＰ  Ｐｒｏｔｅｃｔｉｏｎ期間の終了を通知するためにＣＦ＿Ｅｎｄフレームを送信することができる。
【００６９】
続いて、無線通信装置が受信するフレームからＢＳＳを識別する方法について説明する。無線通信装置が、受信するフレームからＢＳＳを識別するためには、ＰＰＤＵを送信する無線通信装置が当該ＰＰＤＵにＢＳＳを識別するための情報（ＢＳＳ  ｃｏｌｏｒ，Ｂ
ＳＳ識別情報、ＢＳＳに固有な値）を挿入することが好適である。ＢＳＳ  ｃｏｌｏｒを示す情報は、ＨＥ−ＳＩＧ−Ａに記載されることが可能である。
【００７０】
無線通信装置は、Ｌ−ＳＩＧを複数回送信する（Ｌ−ＳＩＧ  Ｒｅｐｅｔｉｔｉｏｎ）ことができる。例えば、受信側の無線通信装置は、複数回送信されるＬ−ＳＩＧをＭＲＣ（Ｍａｘｉｍｕｍ  Ｒａｔｉｏ  Ｃｏｍｂｉｎｉｎｇ）を用いて受信することで、Ｌ−ＳＩＧの復調精度が向上する。さらに無線通信装置は、ＭＲＣによりＬ−ＳＩＧを正しく受信完了した場合に、当該Ｌ−ＳＩＧを含むＰＰＤＵがＩＥＥＥ８０２．１１ａｘ規格に対応するＰＰＤＵであると解釈することができる。
【００７１】
無線通信装置は、ＰＰＤＵの受信動作中も、当該ＰＰＤＵ以外のＰＰＤＵの一部（例えば、ＩＥＥＥ８０２．１１により規定されるプリアンブル、Ｌ−ＳＴＦ、Ｌ−ＬＴＦ、ＰＬＣＰヘッダ等）の受信動作を行うことができる（二重受信動作とも呼称する）。無線通信装置は、ＰＰＤＵの受信動作中に、当該ＰＰＤＵ以外のＰＰＤＵの一部を検出した場合に、宛先アドレスや、送信元アドレスや、ＰＰＤＵあるいはＤＡＴＡ期間に関する情報の一部または全部を更新することができる。
【００７２】
Ａｃｋ及びＢＡは、応答（応答フレーム）とも呼称されることができる。また、プローブ応答や、認証応答、接続応答を応答と呼称することができる。
【００７３】
（第１の実施形態）
以下、図を利用して本発明の一実施形態を詳細に説明する。図１は本実施の形態の機器構成の一例を示している。１００１は通信方式としてＩＥＥＥ８０２．１１仕様などの無線ＬＡＮ機能と、接続しているステーション（ＳＴＡ）のスリープ状態から起床させるためのＷＵ（ウェイクアップ）無線機能を備えるアクセスポイント（ＡＰ）、１００２、１００３は無線ＬＡＮ機能を使用した無線通信を行い、待機状態からＷＵ無線機能によってアクセスポイント１００１から起床可能なＳＴＡである。ステーション１００２、１００３は、アクセスポイント１００１と通信可能な接続状態に置いて、機器を使用しないと判断した時、無線通信を暫く使用しないと判断した時に、アクセスポイント１００１との間の無線ＬＡＮによる通信を休止するスリープ状態に移行する事ができる。アクセスポイント１００１は、ＷＵ無線パケットをステーション１００２、１００３のいずれか、または両方に対して送信する事で、ステーション１００２、１００３のスリープ状態を解除し、通信可能な接続状態に戻すことが出来る。
【００７４】
図１１を利用してステーション１００２がアクセスポイント１００１との間の通信状態を、接続状態から休止状態に移行し、休止状態からＷＵ無線パケットによって接続状態に復帰する処理フローの一例を説明する。最初１１０１でアクセスポイント１００１とステーション１００２の間で無線ＬＡＮによる通信が行われる接続モードであるとする。次に１１０２でステーション１００２が休止状態に移行し、無線ＬＡＮ機能を停止し、ＷＵ無線信号（ＷＵ無線フレーム、ＷＵデータフレーム、ＷＵフレーム）のみを受信する待機モードに移行する。この待機モードに移行するための手順は特に指定しないが、一例としてステーション１００２における通信が無い時間が所定の時間を超えた場合に自動的に待機モードに移行する方法、ステーション１００２からアクセスポイント１００１に対して待機モードに移行する通知を行う方法、アクセスポイント１００１からステーション１００２に対して待機モードに移行するよう要求する方法などを使用することが出来る。ステーション１００２が待機モードに移行した後、アクセスポイント１００１においてステーション１００２に対する送信データが発生した場合に、ステップ１１０３でアクセスポイント１００１はステーション１００２に対してＷＵ無線パケットを送信する。このＷＵ無線パケットを受信したステーション１００２は、無線ＬＡＮ機能を使える状態にし、その後ステップ１１０４でアクセスポイント１００１に対してＰＳ−ｐｏｌｌパケットを送信し
、アクセスポイント１００１からデータを受信できるようになったことを通知する。このとき送信するパケットはｐｓ−Ｐｏｌｌでなくても良く、データを伴わないＮＤＰパケットなどのパケットを使用しても良い。このｐｓ−Ｐｏｌｌパケットを受信したアクセスポイント１００１は、ステーション１００２が接続モードに回復したと判断し、ステップ１１０７でステーション１００２と通信を行う。
【００７５】
図１２を利用してアクセスポイント１００１の構成概要の一例を説明する。１２０１は制御部１２１９からの指示で送信パケットのプリアンブルのデータを生成するプリアンブル生成部、１２０２はプリアンブル部１２０１からの出力とＤＳ制御部１２１８から入力される通信データを基に制御部１２１９からの指示で送信パケットの各サブキャリアに配置するデータを生成する送信データ制御部、１２０３は送信データ制御部１２０２からの出力を送信パケットのデータシンボルの各サブキャリアに設定するマッピング部、１２０４はマッピング部１２０３で各サブキャリア毎に設定されたデータに対し、逆離散フーリエ変換（ＩＤＦＴ）処理を行うＩＤＦＴ部、１２０５はＩＤＦＴ部１２０４の出力を送信順に並べ直すパラレル−シリアル（Ｐ／Ｓ）変換部、１２０６はＰ／Ｓ変換部１２０５から入力されるデータにガードインターバル（ＧＩ）を付加するＧＩ付加部、１２０７はＧＩ付加部１２０６でガードインターバルが付加されたベースバンドのデータをディジタル−アナログ（Ｄ／Ａ）変換するＤ／Ａ変換部、１２０８はＤ／Ａ変換部１２０７から入力されるアナログのベースバンド信号をアンテナ部１２１０から送信する周波数に変換し、所望の電力まで増幅する送信ＲＦ部、１２０９はアンテナ部１２１０の接続先を送信ＲＦ部１２０８または受信ＲＦ部１２１１のどちらかに切り替えるアンテナ切替部、１２１０は所定の周波数の信号の送信と受信を行うアンテナ部、１２１１はアンテナ部１２１０で受信した信号をアンテナ切替部１２０９経由で入力し、ベースバンド信号に変換する受信ＲＦ部、１２１１は受信ＲＦ部から入力されるアナログのベースバンド信号をアナログ−ディジタル（Ａ／Ｄ）変換するＡ／Ｄ変換部、１２１３はＡ／Ｄ変換されたベースバンド信号からプリアンブルを検出し、Ｓ／Ｐ変換部１２１４にシンボルタイミングに伴ってガードインターバルを除去し、ガードインターバル除去後の受信信号を出力するシンボル同期部、１２１４は入力された信号をシリアル−パラレル（Ｐ／Ｓ）変換により並列化して離散フーリエ変換（ＤＦＴ）処理可能な形式に変換するＰ／Ｓ変換部、１２１５は入力された信号にＤＦＴ処理を行うＤＦＴ部、１２１６はＤＦＴ処理後の信号を使用して各サブキャリアの信号点から復調データを推定するデマッピング部、１２１７はデマッピング後のデータからパケットの構造を抽出して受信したパケットに誤りが含まれていないか調べ、誤りがない場合にそのパケットのペイロードをＤＳ制御部、または制御部１２１９に出力する受信データ制御部、１２１８はネットワークと接続するための分配システム（ＤＳ）と受信データ・送信データを交換するためのＤＳ制御部、１２１９は各ブロックの状態を監視し、予め決められた手順に従って各ブロックを制御する制御部である。
【００７６】
図１３を利用してステーション１００２、１００３の構成概要の一例を説明する。ステーション１００２、１００３の構成概要はどちらも同じものとする。１３０１は制御部１３１９からの指示で送信パケットのプリアンブルのデータを生成するプリアンブル生成部、１３０２はプリアンブル部１３０１からの出力とアプリケーションＩＦ部１３１８を経由して入力される通信データを基に制御部１３１９からの指示で送信パケットの各サブキャリアに配置するデータを生成する送信データ制御部、１３０３は送信データ制御部１３０２からの出力を送信パケットのデータシンボルの各サブキャリアに設定するマッピング部、１３０４はマッピング部１３０３で各サブキャリア毎に設定されたデータに対し、逆離散フーリエ変換（ＩＤＦＴ）処理を行うＩＤＦＴ部、１３０５はＩＤＦＴ部１３０４の出力を送信順に並べ直すパラレル−シリアル（Ｐ／Ｓ）変換部、１３０６はＰ／Ｓ変換部１３０５から入力されるデータにガードインターバル（ＧＩ）を付加するＧＩ付加部、１３０７はＧＩ付加部１３０６でガードインターバルが付加されたベースバンドのデータをディジタル−アナログ（Ｄ／Ａ）変換するＤ／Ａ変換部、１３０８はＤ／Ａ変換部１３０
７から入力されるアナログのベースバンド信号をアンテナ部１３１０から送信する周波数に変換し、所望の電力まで増幅する送信ＲＦ部、１３０９はアンテナ部１３１０の接続先を送信ＲＦ部１３０８または受信ＲＦ部１３１１のどちらかに切り替えるアンテナ切替部、１３１０は所定の周波数の信号の送信と受信を行うアンテナ部、１３１１はアンテナ部１３１０で受信した信号をアンテナ切替部１３０９経由で入力し、ベースバンド信号に変換する受信ＲＦ部、１３１１は受信ＲＦ部から入力されるアナログのベースバンド信号をアナログ−ディジタル（Ａ／Ｄ）変換するＡ／Ｄ変換部、１３１３はＡ／Ｄ変換されたベースバンド信号からプリアンブルを検出し、Ｓ／Ｐ変換部１３１４にシンボルタイミングに伴ってガードインターバルを除去し、ガードインターバル除去後の受信信号を出力するシンボル同期部、１３１４は入力された信号をシリアル−パラレル（Ｐ／Ｓ）変換により並列化して離散フーリエ変換（ＤＦＴ）処理可能な形式に変換するＰ／Ｓ変換部、１３１５は入力された信号にＤＦＴ処理を行うＤＦＴ部、１３１６はＤＦＴ処理後の信号を使用して各サブキャリアの信号点から復調データを推定するデマッピング部、１３１７はデマッピング後のデータからパケットの構造を抽出して受信したパケットに誤りが含まれていないか調べ、誤りがない場合にそのパケットのペイロードをＤＳ制御部、または制御部１３１９に出力する受信データ制御部、１３１８はネットワークと接続するための分配システム（ＤＳ）と受信データ・送信データを交換するためのＤＳ制御部、１３２０は受信したベースバンド信号からＷＵ無線信号の帯域の信号を取り出すためのローパスフィルタ（ＬＰＦ）部、１３２１はＬＰＦ部１３２０の出力信号を包絡線検波する包絡線検波部、１３２２は包絡線検波部１３２１の出力信号からＷＵ無線信号のプリアンブルを検出する同期部、１３２３はＷＵ無線パケットのプリアンブル以降の信号を復調する復調部、１３１９は各ブロックの状態を監視し、予め決められた手順に従って各ブロックを制御する制御部である。
【００７７】
ステーション１００２、１００３は無線ＬＡＮの通信を行う接続状態と、ＷＵ無線信号を受信する機能を使用する待機モード状態のそれぞれで、ステーション１００２、１００３を構成する各ブロックの電源状態を制御し、消費電力の適正化を行っても良い。一例として、接続状態ではＬＰＦ部１３２０、包絡線検波部１３２１、同期部１３２２、復調部１３２３が消費する電力を止めても良く、また、待機モード状態ではアンテナ切替部１３０９、受信ＲＦ部１３１１、ＬＰＦ部１３２０、包絡線検波部１３２１、同期部１３２２、復調部１３２３、制御部１３１９のみが動作すれば良く、他のブロックが消費する電力を止めても良い。アンテナ切替部１３０９の構成が、電源を供給していない時にアンテナ部１３１０と受信ＲＦ部１３１１が接続されるよう構成されている時はアンテナ切替部１３０９の電源供給を止めても良い。また、受信ＲＦ部１３１１の構成が無線ＬＡＮの信号を扱うときよりもＷＵ無線信号を扱うときの方が、受信ＲＦ部１３１１の消費電力が少なくなるように構成しても良い。
【００７８】
図１４にＷＵ無線信号の構成の一例を示す。図１４（ａ）において、縦軸方向は信号が占有する周波数帯域を示し、横軸は時間方向の占有時間を示す。１４０１はレガシー部分（Ｌ−ｐａｒｔ）で従来の無線ＬＡＮ信号と互換性がある信号を使用し、ＷＵ無線信号を受信できないステーションも受信可能な信号である。１４０２はＷＵ無線部分（ＷＵＲ−ｐａｒｔ）でＷＵ無線信号を受信する事ができるステーション用の信号である。図１４（ａ）に示したように、最初にＬ−ｐａｒｔ・１４０１を送信し、続いてＷＵＲ−ｐａｒｔ・１４０２を送信する。ＷＵＲ−ｐａｒｔ・１４０２はＬ−ｐａｒｔ・１４０１より帯域が狭く、情報速度を遅い信号形式を使用する事で、復調時に使用する電力を低減できるようにする。
【００７９】
本実施の形態では、Ｌ−ｐａｒｔ・１４０１の信号と、ＷＵＲ−ｐａｒｔ・１４０２の信号を、ＩＤＦＴを使用して生成する。図１４（ｂ）はＬ−ｐａｒｔ・１４０１を生成する際のＩＤＦＴ処理前のサブキャリア配置の概略図である。一例として、ＩＤＦＴの処理
ポイント数が６４（インデックスの範囲を−３２〜３１とする）の場合、インデックスが−２６〜２６の範囲にサブキャリアを配置し、ＩＤＦＴ後のベースバンド信号が所定の帯域、例えば２０ＭＨｚに収まるようにする。なお、インデックス０はＤＣ（直流）キャリアとして使用しない。ＩＤＦＴのサブキャリアに設定する値は特に限定しないが、例えばＩＥＥＥ８０２．１１ａ規格で規定されているＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧｎａｌ）フィールドで使用する値を使用しても良い。なお、ＩＤＦＴのポイント数は６４に限定されず、例えば４０ＭＨｚ帯域とするために１２８ポイントのＩＤＦＴを使用しても良く、また、８０ＭＨｚ帯域とするために２５６ポイントのＩＤＦＴを使用しても良い。１２８ポイント、または２５６ポイントのＩＤＦＴを使用する場合、６４ポイントのＩＤＦＴを使用する場合に使用するサブキャリアの値を複製し、所望のポイント数の値を用意しても良い。図１４（ｃ）はＷＵＲ−ｐａｒｔ・１４０２を生成する際のＩＤＦＴ処理前のサブキャリア配置の概略図である。一例として、ＩＤＦＴ処理ポイント数が６４の場合、インデックスが−６〜６の範囲にサブキャリアを配置し、ＩＤＦＴ後のベースバンド信号が例えば４ＭＨｚに収まるようにする。なお、インデックス０はＤＣキャリアとして使用しない。ＷＵＲ信号送信時にサブキャリアに設定する値は特に指定しないが、一例としてＬ−ｐａｒｔのプリアンブル送信時例えばＩＥＥＥ８０２．１１ａのＳＴＦまたはＬＴＦに使用するサブキャリアの値を用いる方法や、Ｍ系列などの疑似乱数系列の一部を使用する方法などを使用して良い。
【００８０】
受信側のステーションにおいて、ＷＵ無線信号の復調時に使用する電力を低減するために、ＷＵ無線信号は包絡線検波が可能な形式とする。本実施の形態では、ＯＯＫ（オン・オフ・キーイング）変調方式を使用する。本実施の形態では、データの符号化として無符号（符号を使用しない）と、マンチェスター符号を使用する符号化の２種類を使用するが、符号化方法は１種類でも良く、また２種類より多い種類を使用して良い。無符号のＯＯＫ変調を行った時のＷＵ無線信号の一例を図１５（ａ）に示す。変調シンボルは所定時間を単位とし、ＷＵ無線信号の振幅の有無を送信データビットに割り当てる。本実施の形態では振幅０を送信ビットの０とし、送信に使用するサブキャリアに所定のデータを設定してＷＵ無線信号の振幅がある状態を送信ビットの１とする。マンチェスター符号を使用したＯＯＫ変調を行った時のＷＵ信号の一例を図１５（ｂ）に示す。無符号のＯＯＫ変調を行った変調シンボル２つを１符号単位とし、マンチェスター符号による符号化後の変調シンボルとする。本実施の形態では無符号のＯＯＫ変調シンボルが０、１と並んだ状態を符号化前の送信データビット１とし、無符号のＯＯＫ変調シンボルが１、０と並んだ状態を符号化前の送信データビット０とする。
【００８１】
図１４（ａ）のＷＵＲ−ｐａｒｔ・１４０２で使用するＷＵ無線フレーム構造の概要を図１５（ｃ）に示す。１５０１は同期に使用するための同期部分で、所定の数と値のＯＯＫ変調シンボルで構成される。例えば、この同期部分は４つのＯＯＫ変調シンボルで構成され、送信データビットが１、０、１、０の並びとして良い。１５０２は以降の変調シンボルの変調方式・符号化方式（Ｍｏｄｕｒａｔｉｏｎ  ａｎｄ  Ｃｏｄｉｎｇ  Ｓｃｈｅｍｅ，ＭＣＳ）を示すフィールドで、無符号のＯＯＫ変調を使用する場合を１，０の並びのＯＯＫ変調シンボルで、マンチェスター符号を使用したＯＯＫ変調を使用する場合を０，１の並びのＯＯＫ変調シンボルで示す。これはＭＣＳを識別するための０または１の情報を、マンチェスター符号を使用して送信することと等価である。これにより、端末識別子フィールド１５０３、カウンタフィールド１５０４、予約フィールド１５０５、ＦＣＳフィールド１５０６はこのＭＣＳフィールド１５０２で示される変調方式で送信される。
【００８２】
ＭＣＳフィールドを省略して他の方法で端末識別子フィールド１５０３、カウンタフィールド１５０４、予約フィールド１５０５、ＦＣＳフィールド１５０６で使用するＭＣＳを通知しても良い。一例として同期部分で使用する送信データビットの並びを複数用意し
、この複数の並びのいずれかが使用されたことでＭＣＳを通知しても良く、例えば１、０、１、０の並びが同期部分に使用され場合はマンチェスター符号を使用したＯＯＫ変調を使用し、１、０、０、１が使用された場合は無符号のＯＯＫ変調を使用するとしても良い。
【００８３】
１５０３は端末識別子フィールドで、ＷＵ無線信号を送信するアクセスポイントとＷＵ無線信号を受信するステーションのそれぞれの両方または片方を識別するために使用する情報を含む。この端末識別子フィールドに含まれる情報はアクセスポイントまたはステーションを完全に識別するものではなく、複数のアクセスポイントまたは複数のステーションに割り当てられうる情報を用い、端末識別子フィールドの長さを短縮しても良い。この短縮方法の一例として、図１５（ｄ）に示すようにＢＳＳ  ｃｏｌｏｒ・１５１１とアソシエーション識別子（Ａｓｓｏｃｉａｔｉｏｎ  ＩＤｅｎｔｉｆｉｅｒ，ＡＩＤ）１５１２から構成しても良く、また図１５（ｅ）に示すようにＢＳＳ  ｃｏｌｏｒ・１５１１と短縮ＡＩＤ（Ｐａｒｔｉａｌ  ＡＩＤ）１５１３で構成しても良い。ＢＳＳ  ｃｏｌｏｒは、現在標準化作業が進められているＩＥＥＥ８０２．１１ａｘ仕様に採用見込みの情報で、アクセスポイントのおおよその区別をするためにＭＡＣアドレス（４８ビット）より短い情報長、例えば６ビット長の情報を定義するもので、近隣に存在するアクセスポイントの間でできるだけ異なる値を設定するようにアクセスポイントの間で調整される。ＡＩＤ・１５１２はステーションがアクセスポイントに対して接続する（Ａｓｓｏｃｉａｔｉｏｎ  ｐｒｏｃｅｓｓを実行する）際に、アクセスポイントからそのステーションに対して割り当てられる識別子で、ＩＥＥＥ８０２．１１仕様では１２ビット長の情報で１〜１０２３が割り当てられる。Ｐａｒｔｉａｌ  ＡＩＤ・１５１３はＩＥＥＥ８０２．１１ａｃ仕様で規定されているもので、ＡＩＤを所定の方式で短縮した情報で９ビット長である。ＡＩＤ・１５１２やＰａｒｔｉａｌ  ＡＩＤ・１５１３はＭＡＣアドレス（４８ビット）よりも短い情報で、複数のアクセスポイントが近隣で運用されている場合、それぞれのアクセスポイントに接続されているステーションの間で重複する可能性がある。また、Ｐａｒｔｉａｌ  ＡＩＤ・１５１３は一つのアクセスポイントに接続している複数のステーションの間で重複する可能性がある。この端末識別子フィールド１５０３の情報が複数のステーション間で重複する場合の処理については後述する。
【００８４】
１５０４はカウンタフィールドで、リトライ処理、再接続処理に使用する。一例として、４ビット長のカウンタを使用し、ＷＵ無線信号の初送時は全て０を設定して良い。１５０５は予約フィールドで、機能追加の際に使用する。フィールド長は特に指定しないが、一例として４ビットの予約フィールド１５０５を設けてよい。将来機能追加を行わない場合はこの予約フィールド１５０５を省略しても良い。１５０６はＦＣＳ（Ｆｒａｍｅ  Ｃｈｅｃｋ  Ｓｅｑｕｅｎｃｅ）フィールドで、端末識別子フィールド１５０３から予約フィールド１５０５に含まれている受信データが正しいか検証するための値が含まれており、一例としてＣＲＣ（Ｃｙｃｌｉｃ  Ｒｅｄｕｎｄａｎｃｙ  Ｃｈｅｃｋ）符号、例えば生成多項式の長さが９ビットであるＣＲＣ−８を使用しても良い。
【００８５】
ＷＵ無線信号を受信する待機モード状態のステーション１００２、１００３は、ＬＰＦ部１３２０の出力電力が所定の閾値を下回った状態から所定の閾値を上回った状態に変化する事を検出してＬ−ｐａｒｔ・１４０１を受信したと判断し、包絡線検波部１３２１の出力を同期部１３２２が同期部１５０１で使用するデータビットの並び、例えば１、０、１、０と変化する事を確認してＷＵ無線信号のフレームの復調を開始する。同期部分１５０１を検出したステーションは続くＭＣＳフィールド１５０２を受信し、ＭＣＳフィールド１５０２以降のフィールドのＭＣＳを推定する。このステーション１００２、１００３はこの推定結果を利用して以降のフィールドを復調する。このステーション１００２、１００３は端末識別子フィールド１５０３、カウンタフィールド１５０４、予約フィールド１５０５、ＦＣＳフィールド１５０６全てを復調し、ＦＣＳフィールド１５０６の値を利
用して端末識別子フィールド１５０３、カウンタフィールド１５０４、予約フィールド１５０５を正しく復調したか判断し、正しく復調できたと判断できた場合に端末識別子フィールド１５０３が自ステーションを指定するものであるか判断する。端末識別子フィールド１５０３が自ステーションを指定する値であった場合、このステーション１００２、１００３の無線ＬＡＮ信号を使用して通信するためのブロックに電源を供給し、無線ＬＡＮ信号を利用する通信が出来る状態を回復する。無線ＬＡＮ信号を利用して通信が出来る状態になった後、このステーション１００２、１００３はアクセスポイント１００１に対して起床した事を通知するパケット、例えばｐｓ−Ｐｏｌｌパケットを送信し、アクセスポイント１００１に対して自ステーションに対するデータの送信を促す。なお、ＭＣＳフィールド１５０２を受信した後、端末識別子フィールド１５０３を受信した時点で、ＦＣＳフィールド１５０６の受信を待たずに端末識別子フィールド１５０３の値を確認し、自ステーションに対応する値でなかった場合は以降の復調処理を止め、次のＷＵ無線信号が検出されるまで復調部１３２３の消費電力を削減しても良い。このとき端末識別子フィールド１５０３の値全て確認するのではなく、端末識別子フィールド１５０３の中で最初に送信される一部分、例えばＢＳＳ  ｃｏｌｏｒ・１５１１の値を確認して、自ステーションに対応する値でなかった場合に以降の復調を停止しても良い。
【００８６】
ステーション１００２、１００３における待機モードの一連の処理の概要を図１６のフローチャートを用いて説明する。最初にステップ１６０１で待機モードへの移行条件が設立すると、ステーション１００２，１００３はＷＵ無線信号を受信するための複数のブロックに電源を供給し、無線ＬＡＮ信号を受信するため複数のブロックの電源を停止する。この状態で、ステップ１６０３でＬ−ｐａｒｔ・１４０１の信号を検出したか判断し、検出できなかった場合はステップ１６０３を繰り返す。Ｌ−ｐａｒｔ・１４０１の信号を検出すると、ステップ１６０４で後続の信号に同期部分１５０１が含まれるか検出し、検出に失敗するとステップ１６０３に戻り、検出に成功するとステップ１６０５に進む。ステップ１６０５では同期部分１５０１に後続するＭＣＳフィールド１５０２を復調し、更に後続のフィールドをどのように復調するか決定する。続いてステップ１６０６でＭＣＳフィールド１５０２以降の全てのフィールドを復調する。次のステップ１６０７でＭＣＳフィールド１５０２以降のフィールドがＦＣＳフィールド１５０６の値を利用して検証し、この検証に成功するとステップ１６０８に、失敗するとステップ１６０３に進む。ステップ１６０８では端末識別子フィールド１５０３の値が自ステーションを指すものであるか判断し、端末識別子フィールド１５０３の値が自ステーションを指すものでなかった場合はステップ１６０３に戻り、端末識別子フィールドの値が自ステーションを指すものであった場合はステップ１６０９に進む。ステップ１６０９ではＷＵ無線信号を受信するためのブロックの電源供給を停止し、無線ＬＡＮ信号を使用するためのブロックの電源を供給する。続いてステップ１６１０で電源を供給した無線ＬＡＮ信号を使用するためのブロックの機能が回復するまで待ち、回復が確認できるとステップ１６１１に進む。ステップ１６１１で、ステーション１００２、１００３はアクセスポイント１００１に対してＰＳ−ｐｏｌｌパケットを送信する。続いてステップ１６１２でこのＰＳ−ｐｏｌｌに対してアクセスポイント１００１から自ステーション１００２、１００３に対する送信が行われたか判断し、自ステーション１００２、１００３に対する送信が無かったと判断した場合はステップ１６１３に、自ステーションに対する送信があったと判断した時はステップ１６１４に進む。ステップ１６１３ではＰＳ−ｐｏｌｌパケットの再送回数が満了したがどうかを判断し、満了した場合はアクセスポイント１００１と無線ＬＡＮ信号による通信が何らかの原因でできないものとして再び待機状態に設定するためにステップ１６０２に進み、再送回数が満了していない場合はステップ１６１１に進み、再度ＰＳ−ｐｏｌｌパケットの送信を行う。ステップ１６１４ではアクセスポイント１００１から受信した信号がＷＵ無線信号の受信誤り通知であるか判断し、受信誤り通知であった場合はステップ１６０２に進んで再度待機状態に戻り、受信誤り通知でなかった場合はステップ１６１５に進む。このアクセスポイント１００１から受信誤り通知を受ける状況は、近隣のＷＵ無線信号
を利用する他のステーションで自ステーション１００２、１００３と同じ端末識別子フィールド１５０３の値を使用している事を意味する。このような状態を解消するために、ステップ１６０２に戻る前にステーション１００２、１００３はアクセスポイント１００１との間で情報を交換する事で端末識別子フィールド１５０３として使用する値の再割り当てを受けても良い。この際にＡＩＤ・１５１２やＰａｒｔｉａｌ  ＡＩＤ・１５１３の再割り当てを受けても良い。ステップ１６１５では待機モードを終了し、無線ＬＡＮ信号を用いてステーション１００２、１００３から信号を受信できるように各ブロックを設定し、ステーション１００２、１００３から待機状態に関する情報以外の情報の送信が出来るように各ブロックを設定する。続いてステップ１６１６で、ステップ１６１４で受信した信号を通常の受信データとして扱うように処理し、待機モードを終了する。
【００８７】
これまでの記載で説明した待機モードに関する各動作を行うために、アクセスポイント１００１は定期的に送信するビーコンに含む情報や、ステーション１００２、１００３がアクセスポイント１００１に接続するために使用するアソシエーション処理の中でアクセスポイント１００１からステーション１００２、１００３に対して送信する情報の中に待機モードの動作に関する情報を含めてよい。また、ステーション１００２、１００３がアソシエーション処理時にアクセスポイント１００１に対して送信する情報の中に待機モードの動作に関する情報を含めてよい。例えばステーション１００２、１００３から送信する情報として、待機モードの対応／非対応の情報、待機モード時に受信可能なＷＵ無線信号のＭＣＳの情報、ＷＵ無線信号を受信する間隔に関する情報、無線ＬＡＮ信号の帯域に対し、どの帯域をＷＵ無線信号用として使用するかを設定するための情報などを含めてよい。また、アクセスポイント１００１からステーション１００２、１００３に対して送信する情報の中に、端末識別子として使用する値に関する情報、ＷＵ無線信号を送信する時刻や間隔に関する情報、ＷＵ無線信号を送信する際に使用する電力や帯域に関する情報を含めてよい。この電力や帯域に関する情報の一例について以下に説明する。
【００８８】
ＷＵ無線信号を送信する際に図１４（ａ）に示したＬ−ｐａｒｔ・１４０１とＷＵＲ−ｐａｒｔ・１４０２を使用すると、法的な規制などでＬ−ｐａｒｔ・１４０１とＷＵＲ−ｐａｒｔ・１０４２のそれぞれの総電力や帯域当たりの電力密度を変える場合がある。このような場合、ＷＵ無線信号を受信するときの受信ＲＦ部１３１１の自動利得制御（ＡＧＣ）に問題が発生する事がある。例えばＬ−ｐａｒｔ・１４０１の帯域が２０ＭＨｚで総電力を２００ｍＷとし、ＷＵＲ−ｐａｒｔ・１４０２の帯域が４ＭＨｚで総電力を２００ｍＷとすると、Ｌ−ｐａｒｔ・１４０１の１ＭＨｚ当たりの電力密度は１０ｍＷ／ＭＨｚ、ＷＵＲ−ｐａｒｔ・１４０２の１ＭＨｚ当たりの電力密度は５０ｍＷ／ＭＨｚとなる。また、Ｌ−ｐａｒｔ・１４０１の帯域が２０ＭＨｚで総電力を２００ｍＷとし、ＷＵＲ−ｐａｒｔ・１４０２の帯域が４ＭＨｚで総電力が４０ｍＷとすると、Ｌ−ｐａｒｔ・１４０１の１ＭＨｚ当たりの電力密度は１０ｍＷ／ＭＨｚ、ＷＵＲ−ｐａｒｔ・１４０２の１ＭＨｚ当たりの電力密度は１０ｍＷ／ＭＨｚとなる。前者の場合、ＷＵ無線信号を受信する際のＡＧＣで利用するフィードバック信号の帯域をＷＵＲ−ｐａｒｔ・１４０２の４ＭＨｚとするとＬ−ｐａｒｔ・１４０１とＷＵＲ−ｐａｒｔ・１４０２でフィードバック信号の電力が大きく変わり、後者の場合にフィードバック信号の帯域をＬ−ｐａｒｔ・１４０１の２０ＭＨｚとしていた場合に後段に出力されるＷＵＲ−ｐａｒｔ・１４０２の信号電力が少なくなる。つまり、受信ＲＦ部１３１１の動作設定をＬ−ｐａｒｔ・１４０１とＷＵＲ−ｐａｒｔ・１４０２の帯域と電力に応じて変える必要がある。この受信ＲＦ部１３１１やＬＰＦ部１３２０、包絡線検波部１３２１等の設定を変えるために、アクセスポイント１００１がＷＵ無線信号を送信する際に使用する電力や帯域に関する情報をステーション１００２、１００３に通知しても良い。この情報には、Ｌ−ｐａｒｔ・１４０１の信号帯域、総電力、電力密度に関する情報を１つ以上含めてよい。また、ＷＵＲ−ｐａｒｔ・１４０２の信号帯域、総電力、電力密度に関する情報を１つ以上含めてよい。また、総電力、もしくは電力密度について、Ｌ−ｐａｒｔ・１４０１とＷＵＲ−ｐａｒｔ・１４
０２の比に関する情報を含めても良い。
【００８９】
ステーション１００２、１００３がアクセスポイント１００１からＷＵＲ−ｐａｒｔ・１４０２の信号帯域、総電力、電力密度に関する情報を受信するに先立って、ステーション１００２、１００３からアクセスポイントに対してステーション１００２、１００３が受信可能なＷＵＲ−ｐａｒｔ・１４０２の信号帯域、総電力、電力密度の少なくともいずれかに関する情報を送信しても良い。アクセスポイント１００１はステーション１００２、１００３から送信されたこのＷＵＲ−ｐａｒｔ・１４０２の信号帯域、総電力、電力密度の少なくともいずれかに関する情報を考慮してＷＵＲ−ｐａｒｔ・１４０２の信号帯域、総電力、電力密度等を決定し、ステーション１００２、１００３に対して信号帯域、総電力、電力密度に関する情報を１つ以上含めた情報を通知して良い。
【００９０】
アクセスポイント１００１はステーション１００２、１００３に対して送信するＷＵ無線信号のＬ−ｐａｒｔ・１４０１と、ＷＵＲ−ｐａｒｔ・１４０２の帯域を変更できるように構成しても良い。例えばＬ−ｐａｒｔ・１４０１の信号帯域幅を２０ＭＨｚ、４０ＭＨｚ、８０ＭＨｚのいずれかを選択できるように構成しても良い。また、ＷＵＲ−ｐａｒｔ・１４０２の信号帯域幅を２ＭＨｚ、４ＭＨｚ、８ＭＨｚ、１６ＭＨｚのいずれかを選択できるように構成しても良い。
【００９１】
端末識別子フィールド１５０３は複数のステーションに対して同じ値が割り当てられうることを既に説明したが、同じ端末識別子フィールド１５０３の値が割り当てられた複数のステーションが同時に割り当てられた端末識別子フィールド１５０３の値を設定したＷＵ無線信号を受信する可能性を低減するために、ＷＵ無線信号を送信する帯域の割り当てを無線ＬＡＮ信号の帯域の中で変えても良い。このことについて図９を使用して説明する。一例として無線ＬＡＮ信号の帯域を２０ＭＨｚとし、ＷＵ無線信号の待機気を４ＭＨｚとし、無線ＬＡＮ信号の帯域を５等分したそれぞれの帯域においてＷＵ無線信号を送信する例を説明する。この５等分した帯域をＷＵ無線チャネルとし、無線ＬＡＮ信号の帯域の中で低い方から順にＷＵ無線チャネル１、ＷＵ無線チャネル２、ＷＵ無線チャネル３、ＷＵ無線チャネル４、ＷＵ無線チャネル５とする。このようにＷＵ無線チャネルを配置すると、ＷＵ無線チャネル３の中心周波数が無線ＬＡＮ信号の中心周波数と等しくなり、無線ＬＡＮ信号の周波数帯域内に複数のＷＵ無線信号チャネルを設定できないステーションに対してＷＵ無線チャネル３を割り当てる事が可能となる。ＷＵ無線チャネル３にＷＵ無線信号９０１を割り当てた場合の概略を図９（ａ）に示す。この状態は図１４に示したＷＵ無線信号と等しく、ここまで記載した図１３の構成を用いるステーションでＷＵ無線信号９０１を受信する事が可能である。
【００９２】
次に一例としてステーション１００２に対してＷＵ無線信号９０２を送信するときにＷＵ無線チャネル２を使用し、ステーション１００３に対してＷＵ無線信号９０３を送信するときにＷＵ無線チャネル４を使用する場合の概略を図９（ｂ）に示す。ステーションはＷＵ無線信号９０２とＷＵ無線信号９０３を１つずつ送信しても良いし、同時に送信しても良い。ステーション１００２、１００３は、待機モードに移行する際に受信ＲＦ部１３１１の設定を変えて受信する周波数を割り当てられたＷＵ無線チャネルに予め変更し、また、待機モードから復帰する際に受信ＲＦ部１３１１の設定を変えて元の周波数を受信する。ステーション１００２、１００３がＷＵ無線信号を受信する際に使用する受信ＲＦ部１３１１とＬＰＦ部１３２０の特性に大きく依存するが、ＷＵ無線信号９０２とＷＵ無線信号９０３を同時に送信する場合にステーション１００２、１００３が割り当てられたＷＵ無線チャネルのＷＵ無線信号をすると隣接するＷＵ無線チャネルの信号から妨害を受ける可能性がある。この隣接するＷＵ無線チャネルからの妨害を避けるために、アクセスポイント１００１が割り当てるＷＵ無線チャネルの間隔を話しても良い。図９（ｂ）では割り当てる２つのＷＵ無線チャネル（ＷＵＲ  ｃｈ２，ＷＵＲ  ｃｈ４）の間に未使用のＷ
Ｕ無線チャネル（ＷＵＲ  ｃｈ３）を設ける場合である。この間隔を決める事を助けるために、ステーション１００２、１００３から隣接するＷＵ無線チャネルの対妨害性能に関する情報をアクセスポイント１００１に対して送信しても良い。アクセスポイント１００１が一度に送信するＷＵ無線信号の数は２に限らず、２より大きな数を使用しても良い。図９（ｃ）に同時に３つのＷＵ無線信号を送信する事ができるＷＵ無線チャネル割り当ての例を示す。また、図９ではＷＵ無線チャネルがオーバーラップしないようなチャネル配置としているが、ＷＵ無線チャネルのオーバーラップを許し、ＷＵ無線信号を配置する周波数を増やしても良い。
【００９３】
複数のＷＵ無線信号を送信する場合、アクセスポイント１００１の送信電力の制限や法的規制により、ただ１つのＷＵ無線信号を送信する場合と比較して１つあたりのＷＵ無線信号の電力を下げなければならない事がある。このような場合、複数のＷＵ無線信号を送信するときの送信電力を、ただ１つのＷＵ無線信号を送信する場合に適用して良い。アクセスポイント１００１がステーション１００２、１００３に対してＷＵ無線信号の信号帯域、総電力、電力密度の少なくともいずれかに関する情報を送信する際は、この複数のＷＵ無線信号を送信するときの送信電力に基づいた値を使用して良い。
【００９４】
なお、アクセスポイント１００１がＷＵＲ−ｐａｒｔ・１４０２に設定する周波数位置は何かに限定されるものではない。ところで、通信規格によっては、送信機が送信フレームを配置可能な周波数位置の候補が定義されている場合がある。例えば、ＩＥＥＥ８０２．１１ａｘ規格では、図４で示したような周波数リソース分割（Ｒｅｓｏｕｒｃｅ  ｕｎｉｔ  ｌｏｃａｔｉｏｎ）が一例として検討されている。図４に示す周波数リソース分割の方法によれば、２０ＭＨｚの通信帯域幅を、リソース分割例１では、同じ帯域幅の９個のリソースユニット（Ｒｅｓｏｕｒｃｅ  ｕｎｉｔ：ＲＵ）に分割している。ただし、中央のＲＵについては、ＤＣサブキャリアを含むため、該ＲＵに配置される信号は、更に２つに分割される。また、リソース分割例２では、同じ帯域幅の４個のＲＵと、該ＲＵの半分の帯域幅のＲＵの、合計５個のＲＵに分割している。なお、図４では記載を省略しているが、ＲＵとＲＵの間には、ＲＵ間の干渉を防ぐためのガードバンドが設定されることができる。例えば、ＩＥＥＥ８０２．１１ａｘ規格に準ずる無線送信装置は、選択したＲＵ、もしくは他の装置から設定されたＲＵを用いて、フレームの少なくとも一部を送信することができる。このことを活用し、該無線送信装置は、上りリンクの周波数分割多重アクセスに参加することができる。そして、このことは、該無線送信装置が送信するフレームには、必ずしも、通信帯域幅全体（図４の例によれば２０ＭＨｚの帯域幅全体）を占有しない期間が存在することを示唆している。
【００９５】
本実施形態に係るアクセスポイント１００１がＷＵＲ−ｐａｒｔ・１４０２に設定する周波数位置は、他の通信規格によって定義された周波数位置の候補の何れかに配置することができる。例えば、本実施形態に係るアクセスポイント１００１は、ＷＵＲ−ｐａｒｔ・１４０２を図４に示すＲＵの何れかに配置することができる。このようにすることで、例えば、アクセスポイント１００１は、他のＢＳＳでＩＥＥＥ８０２．１１ａｘ規格に従って上りリンク周波数分割多重アクセスが運用されている場合、ＢＳＳ間干渉の影響を小さくできる周波数位置にＷＵＲ−ｐａｒｔ・１４０２を設定することができる。なお、アクセスポイント１００１がＷＵＲ−ｐａｒｔ・１４０２を設定する周波数位置は、ステーションの能力（Capabilities）に基づいても、決定することができる。例えば、ステーションがＩＥＥＥ８０２．１１ａｘの周波数リソース分割を認識できることをアクセスポイント１００１が把握している場合、アクセスポイント１００１は、ＷＵＲ−ｐａｒｔ・１４０２を、図４に示すＲＵの何れかに配置することができる。なお、ＷＵＲ−ｐａｒｔ・１４０２の帯域幅より、アクセスポイント１００１がＷＵＲ−ｐａｒｔ・１４０２を配置しようとしているＲＵの帯域幅が大きい場合、アクセスポイント１００１は、該ＷＵＲ−ｐａｒｔ・１４０２を該ＲＵの中央に配置することができる。一方で、ステーションがＩ
ＥＥＥ８０２．１１ａｘの周波数リソース分割を認識できることをアクセスポイント１００１が把握できない場合、アクセスポイント１００１は、ＷＵＲ−ｐａｒｔ・１４０２を、Ｌ−ｐａｒｔを送信する２０ＭＨｚ帯域幅の中央に配置することができる。
【００９６】
以上のように動作する事で、待機状態に移行したステーションをアクセスポイントから待機状態を解除させることが出来る。また、ステーションにおいては待機状態で受信するＷＵ無線信号を受信するために必要な電力を低減する事が可能となる。
【００９７】
（第２の実施形態）
本実施の形態では、アクセスポイント１００１が１を超える複数のステーション（例えばステーション1002とステーション1003）に対して、ＷＵ無線フレームを送信する。アクセスポイント１００１はＷＵ無線フレームを複数のステーションに送信するために、ＷＵ無線フレームを、ブロードキャストフレーム、マルチキャストフレームまたはグループキャストフレームの何れかのフレームとして、ＷＵ無線フレームを送信することができる。以下では、アクセスポイント１００１が送信する複数のステーション宛てのフレームは、マルチキャストフレームであるものとして説明を行なうが、特に説明がなければ、アクセスポイント１００１がブロードキャストフレームおよびグループキャストフレームとしてＷＵ無線フレームを送信する場合においても同様である。
【００９８】
図１０は、本実施形態に係るＷＵ無線フレーム構造の概要を示す概要図である。図１０に示すように、本実施形態に係るＷＵ無線フレームは、同期部分（プリアンブル）１７０１と、ＭＣＳフィールド１７０２と、マルチキャスト識別フィールド１７０７と、端末識別子フィールド１７０３と、カウンタフィールド１７０４と、予約フィールド１７０５と、ＦＣＳフィールド１７０６の、少なくとも何れか１つを含む、複数のフィールドを備えることができる。なお、本実施形態に係るＷＵ無線フレームは、図１０に示すフィールド以外のビットフィールドを備えていてもよい。また、本実施形態に係るＷＵ無線フレームが備えるビットフィールドの順番は、図１０に示す例に限定されない。
【００９９】
同期部分１７０１は、同期に使用するための同期部分で、所定の数と値のＯＯＫ変調シンボルで構成される。
【０１００】
ＭＣＳフィールド１７０２は、以降の変調シンボルのＭＣＳを示すフィールドで、例えば、無符号のＯＯＫ変調を使用する場合を１，０の並びのＯＯＫ変調シンボルで、マンチェスター符号を使用したＯＯＫ変調を使用する場合を０，１の並びのＯＯＫ変調シンボルで示す。
【０１０１】
マルチキャスト識別フィールド１７０７には、該ＷＵ無線フレームが、単一のステーション宛てのフレーム（ユニキャストフレーム）と、複数のステーション宛てのフレーム（マルチキャストフレーム）と、の何れであるかを示す情報が記載される。例えば、マルチキャスト識別フィールドが‘１’に設定されていれば、該ＷＵ無線フレームはユニキャストフレームであり、マルチキャスト識別フィールドが‘０’に設定されていれば、該ＷＵ無線フレームはマルチキャストフレームであると、該ＷＵ無線フレームを受信したステーションは判断することが可能である。なお、マルチキャスト識別フィールド１７０７のサイズを２ビットに拡張し、該ＷＵ無線フレームが、ユニキャストフレーム、マルチキャストフレーム、ブロードキャストフレーム、およびグループキャストフレームの何れであるかを示すように、アクセスポイント１００１は設定することも可能である。
【０１０２】
なお、同期部分１７０１に複数の符号を設定可能とすることで、アクセスポイント１００１は該ＷＵ無線フレームをユニキャストフレームとマルチキャストフレームと、の何れか一方に設定することもできる。例えば、アクセスポイント１００１は、同期部分１７０
１に設定可能な符号として、“１０１０”と“１００１”の２種類を準備しておき、送信するＷＵ無線フレームがユニキャストフレームである場合には、“１０１０”を同期部分１７０１に設定し、送信するＷＵ無線フレームがマルチキャストフレームである場合には、ユニキャストフレームとして送信する場合に設定した符号とは異なる符号（例えば“１００１”）を同期部分１７０１に設定することができる。このようにアクセスポイント１００１が同期部分１７０１を設定することで、該ＷＵフレームを受信したステーションは、同期部分１７０１に対して、異なる符号を用いて複数回、同期処理を施し、同期が確立できた場合に用いた符号を取得することで、該ＷＵフレームがユニキャストフレームであるかマルチキャストフレームであるかを認識することができる。この場合、アクセスポイント１００１はマルチキャスト識別フィールド１７０７を省略したＷＵ無線フレームを送信可能である。
【０１０３】
端末識別子フィールド１７０３は、ＷＵ無線信号を送信するアクセスポイントとＷＵ無線信号を受信するステーションのそれぞれの両方または片方を識別するために使用する情報を含む。本実施形態に係るアクセスポイント１００１は、端末識別子フィールド１７０３に記載する情報として、複数のステーションを示す識別子を設定することができる。例えば、アクセスポイント１００１は、自装置が管理するステーション同士で構成されるステーショングループを複数設定することができる。ここで、各ステーショングループに含まれるステーションの組み合わせは、ステーショングループ毎に異なることができる。また、ステーショングループに含まれるステーションの数は、１つでも良いし、複数でも良い。また、アクセスポイント１００１は、自装置が管理するステーション以外のステーションを含むステーショングループを設定することもできる。ステーショングループに設定される、アクセスポイント１００１が管理するステーション以外のステーションの例として、一旦アクセスポイント１００１の管理下に設定されたものの、通信品質の劣化や一時的なハンドオーバーにより、アクセスポイント１００１の管理から離れてしまったステーションが挙げられる。
【０１０４】
アクセスポイント１００１は、各ステーショングループにそれぞれ異なる識別子を設定することができる。アクセスポイント１００１は、識別子の設定方法として、第１の実施形態と同様に、ＢＳＳ  ｃｏｌｏｒやＡＩＤやＰａｒｔｉａｌ  ＡＩＤを用いることができる。例えば、アクセスポイント１００１は、設定可能なＰａｒｔｉａｌ  ＡＩＤのうち、各ステーションに割り当てたＰａｒｔｉａｌ  ＡＩＤを除いた系列の中から、ステーショングループに割り当てるＰａｒｔｉａｌ  ＡＩＤを設定することができる。以下では、アクセスポイント１００１がステーショングループに割り当てた識別情報を、マルチキャスト識別子（マルチキャストＩＤ）とも呼称する。すなわち、マルチキャストＩＤが設定されたＷＵ無線フレームは、複数のステーション宛てのフレームである可能性があることを示す。なお、ステーショングループに含まれるステーションの数を２以上に限定することで、マルチキャストＩＤが設定されたＷＵ無線フレームは、複数のステーション宛てのフレームであると認識されることができる。
【０１０５】
アクセスポイント１００１は、無線ＬＡＮ信号として送信する管理フレームや制御フレームやデータフレームを用いて、ステーショングループと、該ステーショングループに関連付けられた識別子を示す情報を、ステーションに通知することができる。また、アクセスポイント１００１は、自装置が使用する識別子の候補のうち、ユニキャストフレームとして使用可能な候補値と、マルチキャストフレームとして使用可能な候補値の何れか、もしくは両方を示す情報を、ステーションに通知することができる。このように制御することで、ステーションは、受信したＷＵ無線フレームの端末識別子フィールド１７０３を読み取ることで、該ＷＵ無線フレームが、マルチキャストフレームであるか否かを、認識することができる。
【０１０６】
カウンタフィールド１７０４は、リトライ処理、再接続処理に使用されることができるが、本実施形態に係るアクセスポイント１００１は、ＷＵ無線フレームをマルチキャストフレームとして送信する場合、カウンタフィールド１７０４を、ＷＵ無線フレームをユニキャストフレームとして送信する場合とは、異なる目的に使用することができる（詳細後述）。
【０１０７】
予約フィールド１７０５と、ＦＣＳフィールド１７０６については、第１の実施形態に係る予約フィールド１５０５と、ＦＣＳフィールド１５０６と同じ使い方がされるため、説明は省略する。
【０１０８】
本実施形態に係るアクセスポイント１００１は、ＷＵ無線フレームをマルチキャストフレームとして送信する場合、ＷＵ無線フレームを複数回送信することができる。これは、マルチキャストフレームは複数ステーション宛てのフレームであるため、通常の再送処理による誤り訂正が困難であるためである。アクセスポイント１００１が、マルチキャストフレームとして、ＷＵ無線フレームを送信する場合、予めＷＵ無線フレームを複数送信することで、受信装置である各ステーションにおけるフレーム受信誤りの確率を小さくすることができる。
【０１０９】
本実施形態に係るアクセスポイント１００１が、ＷＵ無線フレームを複数回送信する方法については、何かに限定されるものではない。例えば、アクセスポイント１００１は、複数のＷＵ無線フレームを送る場合、それぞれキャリアセンスを行なってから送信することができる。この場合、アクセスポイント１００１は、各ＷＵ無線フレームの対する、各ステーションの応答によって、ＷＵ無線フレームをさらに送信するか否かを決定することができる。なお、ステーションの応答方法については、何かに限定されるものではないが、詳細は後述する。
【０１１０】
例えば、アクセスポイント１００１は、キャリアセンスによって確保した無線媒体期間（例えばＴＸＯＰ）内で、ＷＵ無線フレームを複数回送信することができる。すなわち、アクセスポイント１００１は、キャリアセンスによって、無線媒体を確保した後、連続してＷＵ無線フレームを複数回送信することができる。このとき、アクセスポイント１００１は、連続して送信するＷＵ無線フレームの間に、一定のフレーム待機期間を設定することができる。フレーム待機期間の長さは何かに限定されるものではないが、他の無線ＬＡＮ機器の割り込みを回避するために、ＳＩＦＳを設定することが好適である。なお、アクセスポイント１００１は、ＷＵ無線フレームの送信に先立って、ＴＸＯＰを確保するためのフレーム（例えば、CTS-to-selfフレームやRTSフレーム）を送信することができる。アクセスポイント１００１は、ＷＵ無線フレームが備えるＬ−ｐａｒｔ・１４０１が備えるＬｅｎｇｔｈフィールド（Durationフィールド）に記載する値を、複数回送信するＷＵ無線フレーム毎に、異なる値とすることができる。例えば、アクセスポイント１００１は、Ｌｅｎｇｔｈフィールド（Durationフィールド）に対して、該Ｌｅｎｇｔｈフィールドを含むＷＵ無線フレームを送信するタイミングから、該ＷＵ無線フレームが含まれるＴＸＯＰが完了するタイミング（もしくは、アクセスポイント１００１が複数個のWU無線フレームの送信を完了するタイミング）までの期間を設定することができる。すなわち、アクセスポイント１００１が送信する複数のＷＵ無線フレームが備えるＬｅｎｇｔｈフィールドに記載される値は、ＴＸＯＰの後半で送信されるＷＵ無線フレームの方が、ＴＸＯＰの前半で送信されるＷＵ無線フレームより小さいことを意味している。なお、アクセスポイント１００１は、ＷＵＲ−ｐａｒｔにＬｅｎｇｔｈフィールド（Durationフィールド）を設定することも可能である。
【０１１１】
アクセスポイント１００１は、複数のＷＵ無線フレームを連接（アグリゲーション）して送信することができる。図８は本実施形態に係るＷＵ無線フレームのフレーム構成の一
例を示す概要図である。図８（ａ）に示す通り、本実施形態に係るアクセスポイント１００１はＬ−ｐａｒｔ・１８０１を続いて、複数のＷＵＲ−ｐａｒｔ・１８０２−１〜３をアグリゲーションして送信することができる。アクセスポイント１００１がＷＵＲ−ｐａｒｔをアグリゲーションして送信する場合、ＷＵＲ−ｐａｒｔが含むフィールドの数、およびフィールドの記載内容は、同一でも良いし、異なっていても良い。例えば、アクセスポイント１００１は、先頭のＷＵＲ−ｐａｒｔ・１８０２−１に対してのみＭＣＳフィールドを設定し、以降のＷＵＲ−ｐａｒｔ・１８０２−２〜３に対しては、ＭＣＳフィールドを設定しないようにすることができる。また、図８（ａ）に示すように、アクセスポイント１００１はＷＵＲ−ｐａｒｔ・１８２をアグリゲーションするのではなく、所定のビットフィールドのみをアグリゲーションしてもよい。例えば、アクセスポイント１００１は、端末識別子フィールド１７０３を複数個設定したＷＵＲ無線フレームを送信することもできる。なお、図８（ｂ）に示す通り、アクセスポイント１００１は、連続して送信するＷＵＲ−ｐａｒｔ・１８０２−４〜６をそれぞれ異なる周波数に配置して送信することもできる。なお、アクセスポイント１００１がＷＵＲ−ｐａｒｔを配置する周波数を、連続して送信するＷＵ無線フレーム毎に異なる値に設定することは、先に説明した、フレーム送信ごとにキャリアセンスを行なう場合や、獲得したＴＸＯＰ内で連続して送信する場合でも同様に可能である。なお、上記説明してきたＷＵＲ−ｐａｒｔの送信方法は、アクセスポイント１００１がユニキャストフレームとしてＷＵ無線フレームを送信する場合にも設定可能である。また、アクセスポイント１００１は、ユニキャストフレームとマルチキャストフレームを、混在させて、複数のＷＵ無線フレームを送信することも可能である。
【０１１２】
アクセスポイント１００１が、複数のＷＵ無線フレームを送信する場合、アクセスポイント１００１は、ＷＵ無線フレーム毎に、異なるプレコーディングを施すことができる。ここで、プレコーディングにはビームフォーミングが含まれる。例えば、アクセスポイント１００１がＷＵＲ−ｐａｒｔ・１４０２をアグリゲーションして送信する場合でも、アグリゲーションされたＷＵＲ−ｐａｒｔ・１４０２毎に、アクセスポイント１００１は、異なるプレコーディングを施して、送信することができる。アクセスポイント１００１は、自装置が複数ＷＵ無線フレームを送信する場合に、ＷＵ無線フレーム毎に、異なるプレコーディングを施すか否かを、ステーションに予め通知することができる。また、アクセスポイント１００１は、ＷＵＲ−ｐａｒｔ・１４０２の同期部分に用いられる信号系列を変更することで、このことをステーションに通知することもできる。
【０１１３】
以上説明してきた、アクセスポイント１００１がＷＵ無線フレームを連続して送信する手法は、マルチキャストフレームとして送信されたＷＵ無線フレームの受信誤りを軽減するために有効である。しかし、このことは、受信装置であるステーションは、アクセスポイント１００１が連続してＷＵ無線フレームを送信している期間は、受信動作状態を維持しなければならないことを意味しており、ステーションの消費電力を増加させてしまう。
【０１１４】
そこで、本実施形態に係るアクセスポイント１００１は、ＷＵ無線フレームを連続して送信する回数を示す情報をカウンタフィールド１７０４に、記載することができる。例えば、アクセスポイント１００１は、初回に送信するＷＵ無線フレームのカウンタフィールド１７０４に、ＷＵ無線フレームの送信回数を示す数値を記載することができる。アクセスポイント１００１は、２回目に送信するＷＵ無線フレームのカウンタフィールド１７０４に、初回に送信したＷＵ無線フレームのカウンタフィールド１７０４に記載した数値から１だけ減算した（デクリメントした）値を記載することができる。以降、アクセスポイント１００１は、これから送信するＷＵ無線フレームのカウンタフィールド１７０４に、直近で送信したＷＵ無線フレームのカウンタフィールド１７０４に記載した値から１だけ減算した値を記載することができる。このように制御することで、例えば、初回のＷＵ無線フレームを正しく受信したステーションは、受信したフレームのカウンタフィールド１
７０４の値を読み取ることで、アクセスポイント１００１が、ＷＵ無線フレームの送信を完了するタイミングを推定することができるから、該タイミングまで受信動作を停止することができる。よって、アクセスポイント１００１が連続して複数のＷＵ無線フレームを送信したとしても、ステーションは受信動作の維持に係る消費電力の増加を回避することができる。
【０１１５】
本実施形態に係るアクセスポイント１００１は、ＷＵ無線フレームをマルチキャストフレームとして送信する場合と、ユニキャストフレームとして送信する場合とで、各フィールドの解釈を変更することができる。アクセスポイント１００１は、ＷＵ無線フレームをユニキャストフレームとして送信する場合、端末識別子フィールド１７０３を用いて、ステーションを識別する情報（ユニキャストＩＤ）を、ステーションに通知することができる。一方で、アクセスポイント１００１は、ＷＵ無線フレームをマルチキャストフレームとして送信する場合、端末識別子フィールド１７０３を用いてマルチキャスト識別子と、シーケンス番号と、をステーションに通知することができる。ここで、シーケンス番号は、アクセスポイント１００１が複数のＷＵ無線フレームを送信する場合に、それぞれのＷＵ無線フレームが同じフレームであるか、異なるフレームであるかを示す情報として用いられることができる。このとき、アクセスポイント１００１は、マルチキャストＩＤとシーケンス番号を端末識別子フィールド１７０３に記載する場合と、ユニキャストＩＤを端末識別子フィールド１７０３に記載する場合とで、端末識別子フィールドのビットサイズを共通とすることができる。例えば、アクセスポイント１００１は、端末識別子フィールドのビットサイズを１２ビットと設定した場合、ユニキャストフレームとしてＷＵフレームを送信する場合には、１２ビットのユニキャストＩＤを端末識別子フィールド１７０３に記載し、マルチキャストフレームとしてＷＵフレームを送信する場合には、１０ビットのユニキャストＩＤと２ビットのシーケンス番号を端末識別子フィールド１７０３に記載することができる。
【０１１６】
なお、アクセスポイント１００１がマルチキャストＩＤとシーケンス番号を端末識別子フィールド１７０３に記載する方法は、上記の内容に限定されず、例えば、マルチキャストＩＤとシーケンス番号のそれぞれのビットサイズは、先に例に限定されない。また、アクセスポイント１００１は、マルチキャストＩＤとシーケンス番号をジョイントコーディングすることができる。この場合、アクセスポイント１００１は、１つのステーショングループを指定する複数のマルチキャストＩＤを１２ビットでそれぞれ準備することができる。そして、同じステーショングループを指定する複数のマルチキャストＩＤにそれぞれ、異なるシーケンス番号を割り当てることができる。この場合、ステーションは、端末識別子フィールド１７０３に記載されたマルチキャストＩＤを読み取ることで、自装置が含まれるステーショングループ宛てに送信されたＷＵ無線フレームであるか否かを認識すると同時に、該ＷＵ無線フレームのシーケンス番号を取得することもできる。
【０１１７】
ステーションは、受信したフレームが、自装置が含まれるステーショングループを指定するマルチキャストＩＤが記載されたＷＵ無線フレームであったとしても、既に受信した自装置が含まれるステーショングループを指定するマルチキャストＩＤが記載されたＷＵ無線フレームと同じシーケンス番号が記載されていた場合、該ＷＵ無線フレームを破棄する（無視する）ことができる。なお、アクセスポイント１００１は、カウンタフィールド１７０４に記載する数値（すなわち、ＷＵ無線フレームの送信回数を示す情報）を、シーケンス番号毎に設定することができる。
【０１１８】
本実施形態に係るステーションは、自装置が含まれるステーショングループを指定するマルチキャストＩＤが記載されたＷＵ無線フレームを正しく受信した場合（すなわち、ＦＣＳフィールド１７０６に記載された情報から、該ＷＵ無線フレームを誤りなく受信できたことが確認できた場合）、アクセスポイント１００１に対して、該ＷＵ無線フレームを
正しく受信できたことを示す応答フレームを送信することができる。ステーションは、該応答フレームを、無線ＬＡＮ信号として送信することができる。
【０１１９】
本実施形態に係るステーションは、ＷＵ無線フレーム受信後に、アクセスポイント１００１から送信されるトリガーフレームに基づいて、アクセスポイント１００１に応答フレームを送信することができる。この場合、ステーションが送信する応答フレームは、アクセスポイント１００１が送信したトリガーフレームに引き起こされるフレームであると言える。更に言えば、ステーションが送信する応答フレームが無線ＬＡＮ信号であった場合、該応答フレームが、該応答フレームの信号形式とは異なる信号形式の信号によって引き起こされたフレームであると言える。この場合、ステーションは、自装置が含まれるステーショングループを指定するマルチキャストＩＤが記載されたＷＵ無線フレームを正しく受信した場合、アクセスポイント１００１より送信されることが期待されるトリガーフレームを受信するための受信動作状態を、該トリガーフレームを受信するまで維持する必要がある。このことは、ステーションの消費電力が増加してしまうことを意味している。
【０１２０】
そのため、本実施形態に係るアクセスポイント１００１と、ステーションは、ＷＵ無線フレームとトリガーフレームの時間関係を予め取り決めておくことができる。例えば、アクセスポイント１００１は、マルチキャストフレームとして送信するＷＵ無線フレーム送信後、一定の送信待機期間終了後に、トリガーフレームを送信することを、ステーションに予め通知することができる。アクセスポイント１００１は、ビーコンフレーム等により、該送信待機期間をステーションに通知することができる。
【０１２１】
アクセスポイント１００１が、連続して複数のＷＵ無線フレームを、マルチキャストフレームとして送信する場合、アクセスポイントは、最後にＷＵ無線フレームを送信後、一定の送信待機期間終了後に、トリガーフレームを送信することができる。この場合、ステーションは、ＷＵ無線フレームのカウンタフィールド１７０４に記載された情報に基づいて、アクセスポイント１００１が送信するＷＵ無線フレームの数を取得することができる。よって、ステーションは、該ＷＵ無線フレームの数から、アクセスポイント１００１がトリガーフレームを送信するタイミングを推定することができるから、該タイミングに合わせて、受信動作状態に入ることができる。なお、アクセスポイント１００１が無線媒体を確保している期間（例えばアクセスポイント１００１が確保したＴＸＯＰ内）に、ステーションが応答フレームを送信する場合、ステーションは、キャリアセンスを行なうことなく、応答フレームを送信することができる。
【０１２２】
一方、本実施形態に係るステーションは、アクセスポイント１００１からのトリガーフレームに依らず、アクセスポイント１００１に応答フレームを送信することができる。この場合、ステーションはＷＵ無線フレームを正しく受信した後、キャリアセンスを行ない、無線媒体を確保できた場合、応答フレームを送信することができる。なお、ステーションが応答フレームとして送信するフレームは何かに限定されるものではないが、例えば、ステーションは、応答フレームとして、ＰＳ−ｐｏｌｌフレームを送信することができる。
【０１２３】
以上、説明してきた方法によれば、アクセスポイント１００１は、複数のステーションに対して、各ステーションの消費電力を抑えつつ、効率的にＷＵ無線フレームを送信することができる。
【０１２４】
（第３の実施形態）
本実施の形態では、複数のアクセスポイントを備え、少なくとも１つのアクセスポイントが待機状態に移行し、ＷＵ無線信号により待機状態を解除する形態について説明する。図６に本実施の形態の機器構成の一例を示す。符号１００１、符号１００２、符号１００
３は第１の実施形態で使用したものと同様のアクセスポイント、ステーションである。６０１は待機状態に移行可能なアクセスポイントで、６０２、６０３、６０４はアクセスポイント６０１と無線ＬＡＮ機能を使用した無線通信を行い、アクセスポイント６０１から送信されるＷＵ無線信号により待機状態から今日可能なステーションである。アクセスポイント６０１は有線のローカルネット向け分配システムＤＳを持たず、アクセスポイント６０１とステーション６０２、６０３、６０４からなる無線ＬＡＮのローカルネットワークとアクセスポイント１００１を接続する機能を持つ。アクセスポイント６０１とステーション６０２、６０３、６０４は、図１３に示した構成を使用して良い。アクセスポイント６０１とステーション６０２、６０３、６０４からなる無線ＬＡＮのローカルネットワークは同一のサブネットに含まれるものとし、アクセスポイント１００１が構成するローカルネットワーク上の機器がステーション６０２、６０３、６０４と通信するときはアクセスポイント６０１はルータとして動作する。
【０１２５】
アクセスポイント６０１は、ステーション６０２、６０３、６０４の待機状態を管理し、また、アクセスポイント６０１自身の待機状態の管理も行う。アクセスポイント６０１が待機状態に移行するときは、先にステーション６０２、６０３、６０４を待機状態に移行しておく。また、アクセスポイント６０１が待機状態の時にアクセスポイント１００１が構成するローカルネットワーク上の機器からステーション６０２、６０３、６０４のいずれかに対する送信要求が発生した場合、まずアクセスポイント１００１がアクセスポイント６０１に対してＷＵ無線信号を送信し、アクセス６０１を起床させ、起床したアクセスポイント６０１が前記送信要求先のステーションに対してＷＵ無線信号を送信する事で目的のステーションを起床させる。このように複数のＷＵ無線信号が連続で送信される環境に置いては各ステーションが図１５の端末識別子フィールド１５０３を利用するＷＵ無線信号の宛先判別を早目に行う事で復調部の動作時間を短く出来る事がのぞましい。特にアクセスポイント６０１以外のステーション６０２、６０３、６０４については自身あて以外のＷＵ無線信号については早めに復調部の動作を停止する事が望ましい。この目的のため、ＷＵ無線フレームの時間的に早い位置にアクセスポイント間で使用するＷＵ無線信号である事を識別可能な情報を挿入しても良い。この情報を使用する無線フレームの構成例を図７に示す。符号１５０１から符号１５０６は図１５で使用したものと同じである。７０１がアクセスポイント間で使用するＷＵ無線信号を識別するための１ビット長のＤ／Ｕフラグで、０の時はアクセスポイントからステーションに対するＷＵ無線信号であることを示し、１の時はアクセスポイント間で使用されるＷＵ無線信号であることを示す。
【０１２６】
以上のような情報をＷＵ無線フレームに加える事で、待機状態のステーションはアクセスポイント間で使用するＷＵ無線信号のために復調部を動作させる時間を短縮することが出来、消費電力を低減する事が可能となる。
（第４の実施形態）
不特定多数が往来する場所において、特定の領域や特定の機器に接近した時に待機状態の不特定のステーションを起床させることが望ましい場合がある。このような用途に使用するために、不特定多数向けのマルチキャストアドレス、グループキャストアドレスを予め決めておいても良い。この用途向けのマルチキャストアドレス、グループキャストアドレスは予め静的に決めておいても良く、または定期的に送信するビーコンにより報知し、ビーコンと連動し、もしくは別途設定された間隔で定期的に起床するステーションにより取得させ、動的に設定しても良い。
【０１２７】
以上のように動作する事で、不特定のステーションを起床させるためのマルチキャストアドレス、グループキャストアドレスによるステーションの起床が可能となる。
（全実施形態共通）
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコ
ンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１２８】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１２９】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一または複数の態様は当該技術による新たな集積回路を用いることも可能である。
【０１３０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１３２】
本発明は、無線通信装置に利用可能である。
【符号の説明】
【０１３３】
１００１，６０１  アクセスポイント
１００２，１００３，６０２，６０３，６０４  ステーション
１５０１，１７０１  同期部分
１５０２，１７０２  ＭＣＳフィールド
７０１  Ｄ／Ｕフラグ
１７０７  Ｍ／Ｕフラグ
１５０３，１７０３  端末識別子フィールド
１５０４，１７０４  カウンタフィールド
１５０５，１７０５  予約フィールド
１５０６，１７０６  ＦＣＳフィールド
１５１１  ＢＳＳ  ｃｏｌｏｒフィールド
１５１２  ＡＩＤフィールド
１５１３  Ｐａｒｔｉａｌ  ＡＩＤフィールド
１４０１，１８０１  レガシー部分
１４０２，１８０２−１〜１８０２−６  ＷＵ無線部分
９０１〜９０６  ＷＵ無線信号
１２０１，１３１０  プリアンブル生成部
１２０２，１３０２  送信データ制御部
１２０３，１３０３  マッピング部
１２０４，１３０４  ＩＤＦＴ部
１２０５，１３０５  Ｐ／Ｓ変換部
１２０６，１３０６  ＧＩ付加部
１２０７，１３０７  Ｄ／Ａ変換部
１２０８，１３０８  送信ＲＦ部
１２０９，１３０９  アンテナ切替部
１２１０，１３１０  アンテナ部
１２１１，１３１１  受信ＲＦ部
１２１２，１３１２  Ａ／Ｄ変換部
１２１３，１３１３  シンボル同期部
１２１４，１３１４  Ｓ／Ｐ変換部
１２１５，１３１５  ＤＦＴ部
１２１６，１３１６  デマッピング部
１２１７，１３１７  受信データ制御部
１２１８  ＤＳ制御部
１２１９，１３１９  制御部
１３１８  アプリケーションＩＦ部
１３２０  ＬＰＦ部
１３２１  包絡線検波部
１３２２  同期部
１３２３  復調部
【図１】
2020109885.tif 000009
【図２】
2020109885.tif 000010
【図３】
2020109885.tif 000011
【図４】
2020109885.tif 000012
【図５】
2020109885.tif 000013
【図６】
2020109885.tif 000014
【図７】
2020109885.tif 000015
【図８】
2020109885.tif 000016
【図９】
2020109885.tif 000017
【図１０】
2020109885.tif 000018
【図１１】
2020109885.tif 000019
【図１２】
2020109885.tif 000020
【図１３】
2020109885.tif 000021
【図１４】
2020109885.tif 000022
【図１５】
2020109885.tif 000023
【図１６】
2020109885.tif 000024